(57)【特許請求の範囲】
【請求項１】
基地局が、ビデオ・キャプチャ端末によってアップロードされたビデオ・データのＮ個のストリームを受信するステップと、
前記基地局が、前記受信したビデオ・データのＮ個のストリームに従って、ループバックされるべきビデオ・データを決定するよう構成されるディスパッチ局に前記ビデオ・データのＮ個のストリームをアップロードするステップと、
前記基地局が、モビリティ管理エンティティ又は前記ビデオ・キャプチャ端末によって送信されるループバック指示情報を受信するステップであって、前記ループバック指示情報は、ループバックされるべきビデオ・データのベアラの識別子を収容する、受信するステップと、
前記基地局が、ループバックされるべき前記ビデオ・データの前記ベアラの前記識別子に従って、ループバックされるべき前記ビデオ・データの前記ベアラの前記識別子に対応するループバックされるべき前記ビデオ・データを確認するステップと、
前記基地局が、ループバックされるべき前記ビデオ・データをトランキング端末に送信するステップとを含み、
前記ベアラの前記識別子は、前記ビデオ・キャプチャ端末のベアラ・セットアップ要求に従って前記モビリティ管理エンティティによってセットアップされ、ビデオ・データの前記Ｎ個のストリームを送信するために使用されるＮ個のベアラのうちの前記ベアラの識別子であり、前記ベアラ・セットアップ要求は、ビデオ・データの前記Ｎ個のストリームのそれぞれのシリアル番号を収容し、ビデオ・データのそれぞれのストリームのシリアル番号は、ビデオ・データのそれぞれのストリームを送信するために使用される前記ベアラの前記識別子に対応し、ループバックされるべき前記ビデオ・データの前記ベアラの前記識別子は、前記ディスパッチ局のビデオ・ループバック要求に収容されるループバックされるべき前記ビデオ・データのシリアル番号に従って前記モビリティ管理エンティティ又は前記ビデオ・キャプチャ端末によって決定され、Ｎは２以上の整数である、データ伝送方法。
【請求項２】
前記モビリティ管理エンティティによって送信される前記ループバック指示情報は、ループバックされるべき前記ビデオ・データを監視する必要があるそれぞれのトランキング端末グループに含まれるトランキング端末の識別子、及びそれぞれのトランキング端末グループ内のすべてのトランキング端末が監視する必要があるループバックされるべき前記ビデオ・データのシリアル番号をさらに収容し、
ループバックされるべき前記ビデオ・データをトランキング端末に送信する前記ステップの前に、前記方法は、
前記基地局が、無線ネットワーク一時識別子をループバックされるべきビデオ・データのそれぞれのストリームに割り当てるステップと、
前記基地局が、第１の監視指示情報を前記トランキング端末に送信するか、又は第１のビデオ・ループバック応答を前記ビデオ・キャプチャ端末に送信するステップとをさらに含み、
前記第１の監視指示情報は、前記無線ネットワーク一時識別子、それぞれのトランキング端末グループ内に含まれる前記トランキング端末の前記識別子、及びそれぞれのトランキング端末グループ内のすべてのトランキング端末が監視する必要があるループバックされるべき前記ビデオ・データの前記シリアル番号を収容し、これにより、前記トランキング端末は、前記トランキング端末自体の識別子に従って、前記トランキング端末自体を含むトランキング端末グループ内のすべてのトランキング端末が監視する必要があるループバックされるべき前記ビデオ・データの前記シリアル番号を確認し、ループバックされ監視されるべき前記ビデオ・データの前記シリアル番号に従って、ループバックされ監視されるべき前記ビデオ・データを確認し、前記無線ネットワーク一時識別子を使用してループバックされるべき前記ビデオ・データを監視し、
前記第１のビデオ・ループバック応答は、ループバックされるべきビデオ・データのそれぞれのストリームに割り当てられた前記無線ネットワーク一時識別子を収容し、これにより、前記ビデオ・キャプチャ端末は、第２のビデオ・ループバック応答を前記ディスパッチ局に送信し、前記第２のビデオ・ループバック応答は、ループバックされるべきビデオ・データのそれぞれのストリームの前記シリアル番号、及びループバックされるべきビデオ・データのそれぞれのストリームの前記無線ネットワーク一時識別子を収容し、これにより、前記ディスパッチ局は、第２の監視指示情報を前記トランキング端末に送信し、前記第２の監視指示情報は、前記無線ネットワーク一時識別子、それぞれのトランキング端末グループ内に含まれる前記トランキング端末の前記識別子、及びそれぞれのトランキング端末グループ内のすべてのトランキング端末が監視する必要があるループバックされるべき前記ビデオ・データの前記シリアル番号を収容し、これにより、前記トランキング端末は、前記トランキング端末自体の前記識別子に従って、前記トランキング端末自体を含む前記トランキング端末グループ内のすべてのトランキング端末が監視する必要があるループバックされるべき前記ビデオ・データの前記シリアル番号を確認し、ループバックされ監視されるべき前記ビデオ・データの前記シリアル番号に従って、ループバックされ監視されるべき前記ビデオ・データを確認し、前記無線ネットワーク一時識別子を使用してループバックされるべき前記ビデオ・データを監視する請求項１に記載の方法。
【請求項３】
前記基地局が、前記モビリティ管理エンティティによって送信されたベアラ修正要求を受信するステップと、
前記基地局が、ビデオ・データ伝送ベアラを修正し、前記修正された伝送ベアラの識別子と前記修正前の前記伝送ベアラの識別子との間のマッピング関係を確認するステップとをさらに含む請求項１又は２に記載の方法。
【請求項４】
モビリティ管理エンティティが、ビデオ・キャプチャ端末によって送信されたベアラ・セットアップ要求を受信するステップであって、前記ベアラ・セットアップ要求は、ビデオ・データのＮ個のストリームのそれぞれのシリアル番号を収容する、ステップと、
前記モビリティ管理エンティティが、それぞれがビデオ・データの前記Ｎ個のストリームのうちの１つを送信するために使用される、Ｎ個の発展型パケット・ベアラをセットアップし、それに応じて、ビデオ・データの前記１つのストリームを送信するために使用されるそれぞれのベアラの識別子と前記ベアラ上で送信されるビデオ・データの前記１つのストリームのシリアル番号とを格納するステップであって、Ｎは２以上の整数である、ステップと、
前記モビリティ管理エンティティが、ディスパッチ局によって送信されたビデオ・ループバック要求を受信するステップであって、前記ビデオ・ループバック要求は、ループバックされるべきビデオ・データのシリアル番号を収容する、ステップと、
前記モビリティ管理エンティティが、ループバックされるべき前記ビデオ・データの前記シリアル番号に従って、ビデオ・データのシリアル番号とベアラの識別子との間の格納されているマッピング関係を、ループバックされるべき前記ビデオ・データの前記シリアル番号に対応するベアラの識別子について探索するステップと、
前記モビリティ管理エンティティが、ループバック指示情報を基地局に送信するステップとを含む、データ伝送方法。
【請求項５】
前記ビデオ・ループバック要求は、ループバックされるべき前記ビデオ・データを監視する必要があるそれぞれのトランキング端末グループに含まれるトランキング端末の識別子、及びそれぞれのトランキング端末グループ内のすべてのトランキング端末が監視する必要があるループバックされるべき前記ビデオ・データのシリアル番号をさらに収容し、
前記ループバック指示情報は、ループバックされるべき前記ビデオ・データを監視する必要があるそれぞれのトランキング端末グループに含まれる前記トランキング端末の前記識別子、及びそれぞれのトランキング端末グループ内のすべてのトランキング端末が監視する必要があるループバックされるべき前記ビデオ・データの前記シリアル番号をさらに収容する請求項４に記載の方法。
【請求項６】
前記モビリティ管理エンティティが、ベアラ修正要求を前記基地局に送信するステップをさらに含む請求項４又は５に記載の方法。
【請求項７】
基地局、ディスパッチ局、ビデオ・キャプチャ端末及びトランキング局を有するシステムであって、前記基地局は、請求項１乃至３何れか一項に記載の方法を実行するよう構成される、システム。
【請求項８】
ビデオ・キャプチャ端末によって送信されたベアラ・セットアップ要求を受信するように構成された受信ユニットであって、前記ベアラ・セットアップ要求は、ビデオ・データのＮ個のストリームのそれぞれのシリアル番号を収容する、受信ユニットと、
前記受信ユニットが前記ベアラ・セットアップ要求を受信した後にＮ個の発展型パケット・ベアラをセットアップするように構成されたベアラ・セットアップ・ユニットであって、それぞれのベアラは、ビデオ・データの前記Ｎ個のストリームのうちの１つを送信するために使用される、ベアラ・セットアップ・ユニットと、
前記ベアラ・セットアップ・ユニットが前記ベアラをセットアップした後に、ビデオ・データの前記１つのストリームを送信するために使用されるそれぞれのベアラの識別子と前記ベアラ上で送信されるビデオ・データの前記１つのストリームのシリアル番号とをそれに応じて格納するように構成された格納ユニットであって、Ｎは２以上の整数であり、
前記受信ユニットはディスパッチ局によって送信されるビデオ・データ・ループバック要求を受信するようにさらに構成され、前記ビデオ・データ・ループバック要求は、ループバックされるべきビデオ・データのシリアル番号を収容する、格納ユニットと、
前記受信ユニットによって受信されるループバックされるべき前記ビデオ・データの前記シリアル番号に従って、ビデオ・データのシリアル番号とベアラの識別子との間の前記格納されているマッピング関係を、ループバックされるべき前記ビデオ・データの前記シリアル番号に対応するベアラの識別子について探索するように構成された探索ユニットと、
ループバック指示情報を基地局に送信するように構成された送信ユニットであって、前記ループバック指示情報は、ループバックされるべき前記ビデオ・データの前記ベアラの前記見つかった識別子を収容する、送信ユニットとを備える、モビリティ管理エンティティ。
【請求項９】
前記送信ユニットは、ベアラ修正要求を前記基地局に送信するようにさらに構成される請求項８に記載のモビリティ管理エンティティ。
【請求項１０】
報告されるべきビデオ・データのＮ個のストリームのそれぞれのシリアル番号に関してディスパッチ局とネゴシエートした後に、ビデオ・データの前記Ｎ個のストリームの前記シリアル番号に対応するビデオ・データの前記Ｎ個のストリームを基地局に送信し、ベアラ・セットアップ要求をモビリティ管理エンティティに送信するように構成された送信ユニットであって、前記ベアラ・セットアップ要求は、ビデオ・データの前記Ｎ個のストリームの前記シリアル番号を収容し、Ｎは２以上の整数である、送信ユニットと、
前記ディスパッチ局によって送信されたビデオ・ループバック要求を受信するように構成された受信ユニットであって、前記ビデオ・ループバック要求は、ループバックされるべきビデオ・データのシリアル番号を収容する、受信ユニットと、
前記受信ユニットによって受信された前記ビデオ・ループバック要求に収容されるループバックされるべき前記ビデオ・データの前記シリアル番号に従って、ループバックされるべき前記ビデオ・データのベアラの識別子を決定するように構成された決定ユニットとを備え、
前記送信ユニットは、ループバック指示情報を前記基地局に送信するようにさらに構成され、前記ループバック指示情報は、ループバックされるべき前記ビデオ・データの前記ベアラの前記識別子を収容する、ビデオ・キャプチャ端末。
【請求項１１】
前記受信ユニットは、前記基地局によって送信された第１のビデオ・ループバック応答を受信するようにさらに構成され、前記第１のビデオ・ループバック応答は、ループバックされるべきビデオ・データのそれぞれのストリームに割り当てられた無線ネットワーク一時識別子を収容し、
前記送信ユニットは、前記受信ユニットが前記第１のビデオ・ループバック応答を受信した後に第２のビデオ・ループバック応答を前記ディスパッチ局に送信するようにさらに構成され、前記第２のビデオ・ループバック応答は、ループバックされるべきビデオ・データのそれぞれのストリームの前記シリアル番号、及びループバックされるべきビデオ・データのそれぞれのストリームの前記無線ネットワーク一時識別子を収容する請求項１０に記載のビデオ・キャプチャ端末。
【発明の詳細な説明】
【技術分野】
【０００１】
本発明は、通信技術の分野に関し、詳細には、データ伝送の方法、デバイス、及びシステムに関する。
【背景技術】
【０００２】
ビデオ監視（ｖｉｄｅｏ  ｓｕｒｖｅｉｌｌａｎｃｅ）は、常に、情報分野における最新の応用技術の１つであり、直観的であること、使いやすいこと、及び豊富な情報量という特徴があることから広く人々の関心を集めている。組み込み技術、ビデオ処理技術、及びネットワーク伝送技術の急速な発展とともに、ビデオ監視システムは、デジタル化され、ネットワーク化され、統合された組み込みビデオ監視の方向へ向かって活発に発展し続けている。広帯域トランキング通信（ｂｒｏａｄｂａｎｄ  ｔｒｕｎｋｉｎｇ  ｃｏｍｍｕｎｉｃａｔｉｏｎｓ）の発展とともに、リアルタイム・ビデオ監視によって取得されるビデオ・データは、トランキング通信システムにおけるユーザーの重要な要件となる。例えば、空港、ホテル、ショッピング・モールなどにおいて監視によって取得されるビデオ・データは、警察活動及び防火管理などのためにトランキング端末（ｔｒｕｎｋｉｎｇ  ｔｅｒｍｉｎａｌ）に効果的に、また迅速に送信され、警官が犯罪者を逮捕し、消防士が消火作業をするのを効果的に支援することができる。
【発明の概要】
【発明が解決しようとする課題】
【０００３】
従来のビデオ監視技術とインターネット（Ｉｎｔｅｒｎｅｔ）との組み合わせで、リモート・アクセスを実装することができる。しかし、ネットワーク帯域幅及び伝送距離などの要因により、インターネットを使用したネットワーク伝送では長い遅延時間が常に生じ、リアルタイム監視要件は保証され得ない。
【０００４】
本発明の実施形態は、伝送遅延を低減し、ビデオ監視によって取得されたビデオ・データをトランキング端末にリアルタイムで送信することができる、データ伝送方法を提供する。
【課題を解決するための手段】
【０００５】
データ伝送方法は、
ビデオ・キャプチャ端末によってアップロードされたビデオ・データのＮ個のストリームを受信するステップと、
モビリティ管理エンティティ又はビデオ・キャプチャ端末によって送信されるループバック指示情報を受信するステップであって、ループバック指示情報は、ループバックされるビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局（ｄｉｓｐａｔｃｈ  ｓｔａｔｉｏｎ）のビデオ・ループバック要求に収容されるループバックされるべきビデオ・データのシリアル番号に従ってモビリティ管理エンティティ又はビデオ・キャプチャ端末によって決定され、Ｎは、１以上の整数である、ステップと、
ループバックされるべきビデオ・データのベアラの識別子に従って、ループバックされるべきビデオ・データのベアラの識別子に対応するループバックされるべきビデオ・データを確認するステップと、
ループバックされるべきビデオ・データをトランキング端末に送信するステップとを含む。
【０００６】
データ伝送方法は、
ビデオ・キャプチャ端末によって送信されたベアラ・セットアップ要求を受信するステップであって、ベアラ・セットアップ要求は、ビデオ・データのＮ個のストリームのシリアル番号を収容する、ステップと、
それぞれがビデオ・データのＮ個のストリームのうちの１つを送信するために使用される、Ｎ個の発展型パケット・ベアラをセットアップし、ビデオ・データの１つのストリームを送信するために使用されるベアラの識別子とベアラ上で送信されるデータの１つのストリームのシリアル番号とをそれに応じて格納するステップであって、Ｎは、１以上の整数である、ステップと、
ディスパッチ局によって送信されたビデオ・ループバック要求を受信するステップであって、ビデオ・ループバック要求は、ループバックされるべきビデオ・データのシリアル番号を収容する、ステップと、
ループバックされるべきビデオ・データのシリアル番号に従って、ビデオ・データのシリアル番号とベアラの識別子との間の格納されているマッピング関係を、ループバックされるべきビデオ・データのシリアル番号に対応するベアラの識別子について探索するステップと、
ループバック指示情報を基地局に送信するステップであって、ループバック指示情報は、ループバックされるべきビデオ・データのベアラの見つかった識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する、ステップとを含む。
【０００７】
データ伝送方法は、
ビデオ・キャプチャ端末によって報告されたＭ個のビデオ・データのシリアル番号を受信した後に、Ｍ個のビデオ・データのシリアル番号で指定されたＮ個のビデオ・データのシリアル番号に対応するビデオ・データを報告することをビデオ・キャプチャ端末に命令するステップであって、ＭはＮ以上であり、Ｎは１以上の整数である、ステップと、
ビデオ・キャプチャ端末によってアップロードされたビデオ・データのＮ個のストリームを受信した後に、ループバックされるべきビデオ・データを確認するステップと、
モビリティ管理エンティティ又はビデオ・キャプチャ端末にビデオ・ループバック要求を送信するステップであって、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する、ステップとを含む。
【０００８】
データ伝送方法は、
報告されるべきビデオ・データのＮ個のストリームのシリアル番号に関してディスパッチ局とネゴシエートした後に、ビデオ・データのＮ個のストリームのシリアル番号に対応するビデオ・データのＮ個のストリームを基地局に送信し、ベアラ・セットアップ要求をモビリティ管理エンティティに送信するステップであって、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、ビデオ・データの１つのストリームを送信するために使用されるそれぞれのベアラの識別子とベアラ上で送信されるビデオ・データの１つのストリームのシリアル番号とをそれに応じて格納する、ステップと、
ディスパッチ局によって送信されたビデオ・ループバック要求を受信するステップであって、ビデオ・ループバック要求は、ループバックされるべきビデオ・データのシリアル番号を収容する、ステップと、
ディスパッチ局のビデオ・ループバック要求に収容されるループバックされるべきビデオ・データのシリアル番号に従って、ループバックされるべきビデオ・データのベアラの識別子を決定するステップと、
ループバック指示情報を基地局に送信するステップであって、ループバック指示情報は、ループバックされるべきビデオ・データのベアラの識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する、ステップとを含む。
【０００９】
データ伝送方法は、
ベアラ・セットアップ要求をモビリティ管理エンティティに送信するステップであって、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップする、ステップと、
基地局によって送信され、ビデオ・データのＮ個のストリーム内のビデオ・データのそれぞれのストリームに対応する監視パラメータを受信し、ビデオ・データのＮ個のストリームのシリアル番号及びビデオ・データのＮ個のストリーム内のビデオ・データのそれぞれのストリームのシリアル番号に対応する監視パラメータをトランキング端末に送信するステップと、
ビデオ・データのＮ個のストリームをブロードキャストするステップであって、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、ステップとを含む。
【００１０】
データ伝送方法は、
ディスパッチ局によって送信された監視指示情報を受信するステップであって、監視指示情報は、監視されるように指定されたビデオ・データを監視することを必要とするそれぞれのトランキング端末グループに含まれるトランキング端末の識別子及びそれぞれのトランキング端末グループ内のすべてのトランキング端末が監視することを指定するビデオ・データのシリアル番号を収容する、ステップと、
ビデオ・キャプチャ端末によって送信される、ビデオ・データのＮ個のストリームのシリアル番号及びビデオ・データのＮ個のストリーム内のビデオ・データのそれぞれのストリームのシリアル番号に対応する監視パラメータを受信するステップと、
トランキング端末自体の識別子に従って、それぞれのトランキング端末グループに含まれるトランキング端末の識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認するステップと、
監視されるように指定されたビデオ・データのシリアル番号に従って、監視されるように指定されたビデオ・データのシリアル番号に対応する監視パラメータを探索するステップと、
監視されるように指定されたビデオ・データの見つかった監視パラメータを使用して、監視されるように指定されたビデオ・データを監視するステップとを含む。
【００１１】
データ伝送方法は、
ビデオ・キャプチャ端末によってブロードキャストされたビデオ・データのＮ個のストリームを受信するステップと、
ビデオ・データのＮ個のストリーム内のビデオ・データのそれぞれのストリームに対する監視パラメータを構成するステップと、
ビデオ・データのＮ個のストリーム内のビデオ・データのそれぞれのストリームに対応する監視パラメータをビデオ・キャプチャ端末に送信するステップであって、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、ステップとを含む。
【００１２】
データ伝送方法は、
ビデオ・データのＮ個のストリームを受信した後に、監視指示情報をトランキング端末に送信するステップであって、監視指示情報は、監視されるように指定されたビデオ・データを監視することを必要とするそれぞれのトランキング端末グループに含まれるトランキング端末の識別子及びそれぞれのトランキング端末グループ内のすべてのトランキング端末が監視することを指定するビデオ・データのシリアル番号を収容し、これにより、トランキング端末は、トランキング端末自体の識別子に従って、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、ステップを含み、
監視パラメータは、ビデオ・データのＮ個のストリームのシリアル番号とともに、ビデオ・キャプチャ端末によってトランキング端末に送信される監視パラメータであり、ビデオ・データのＮ個のストリームのシリアル番号及び監視パラメータは、基地局がビデオ・キャプチャ端末によってブロードキャストされたビデオ・データのＮ個のストリームを受信した後に基地局によってビデオ・キャプチャ端末に送信され、監視パラメータは、ビデオ・データのＮ個のストリームのうちのビデオ・データのそれぞれのストリームのシリアル番号に対応する。
【００１３】
基地局は、
ビデオ・キャプチャ端末によってアップロードされたビデオ・データのＮ個のストリームを受信し、モビリティ管理エンティティ又はビデオ・キャプチャ端末によって送信されるループバック指示情報を受信するように構成された受信ユニットであって、ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数である、受信ユニットと、
受信ユニットによって受信されたループバックされるべきビデオ・データのベアラの識別子に従って、ループバックされるべきビデオ・データのベアラの識別子に対応するループバックされるべきビデオ・データを確認するように構成された確認ユニットと、
確認ユニットによって確認されたループバックされるべきビデオ・データをトランキング端末に送信するように構成された送信ユニットとを備える。
【００１４】
モビリティ管理エンティティは、
ビデオ・キャプチャ端末によって送信されたベアラ・セットアップ要求を受信するように構成され、ベアラ・セットアップ要求は、ビデオ・データのＮ個のストリームのシリアル番号を収容する、受信ユニットと、
受信ユニットがベアラ・セットアップ要求を受信した後にＮ個の発展型パケット・ベアラをセットアップするように構成され、それぞれのベアラは、ビデオ・データのＮ個のストリームのうちの１つを送信するために使用される、ベアラ・セットアップ・ユニットと、
ベアラ・セットアップ・ユニットがベアラをセットアップした後に、ビデオ・データの１つのストリームを送信するために使用されるそれぞれのベアラの識別子とベアラ上で送信されるビデオ・データの１つのストリームのシリアル番号とをそれに応じて格納するように構成された格納ユニットであって、Ｎは１以上の整数である、格納ユニットとを備え、
受信ユニットはディスパッチ局によって送信されるビデオ・ループバック要求を受信するようにさらに構成され、ビデオ・ループバック要求は、ループバックされるべきビデオ・データのシリアル番号を収容し、
さらに、受信ユニットによって受信されるループバックされるべきビデオ・データのシリアル番号に従って、ビデオ・データのシリアル番号とベアラの識別子との間の格納されているマッピング関係を、ループバックされるべきビデオ・データのシリアル番号に対応するベアラの識別子について探索するように構成された探索ユニットと、
ループバック指示情報を基地局に送信するように構成された送信ユニットであって、ループバック指示情報は、ループバックされるべきビデオ・データのベアラの見つかった識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する、送信ユニットとを備える。
【００１５】
ディスパッチ局は、
ビデオ・キャプチャ端末によって報告されたＭ個のビデオ・データのシリアル番号を受信した後に、Ｍ個のビデオ・データのシリアル番号で指定されたＮ個のビデオ・データのシリアル番号に対応するビデオ・データを報告することをビデオ・キャプチャ端末に命令することであって、ＭはＮ以上であり、Ｎは１以上の整数である、命令することと、ビデオ・キャプチャ端末によってアップロードされたビデオ・データのＮ個のストリームを受信することとを行うように構成された受信ユニットと、
受信ユニットがビデオ・キャプチャ端末によってアップロードされたビデオ・データのＮ個のストリームを受信した後に、ループバックされるべきビデオ・データを確認するように構成された確認ユニットと、
確認ユニットがループバックされるべきビデオ・データを確認した後にビデオ・ループバック要求をモビリティ管理エンティティ又はビデオ・キャプチャ端末に送信するように構成された送信ユニットであって、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する、送信ユニットとを備える。
【００１６】
ビデオ・キャプチャ端末は、
報告されるべきビデオ・データのＮ個のストリームのシリアル番号に関してディスパッチ局とネゴシエートした後に、ビデオ・データのＮ個のストリームのシリアル番号に対応するビデオ・データのＮ個のストリームを基地局に送信し、ベアラ・セットアップ要求をモビリティ管理エンティティに送信するように構成された送信ユニットであって、ベアラ・セットアップ要求は、ビデオ・データのＮ個のストリームのシリアル番号を収容し、これにより、モビリティ管理エンティティは、それぞれがビデオ・データのＮ個のストリームを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームのシリアル番号とを格納する、送信ユニットと、
ディスパッチ局によって送信されたビデオ・ループバック要求を受信するように構成された受信ユニットであって、ビデオ・ループバック要求は、ループバックされるべきビデオ・データのシリアル番号を収容する、受信ユニットと、
受信ユニットによって受信されたビデオ・ループバック要求に収容されるループバックされるべきビデオ・データのシリアル番号に従って、ループバックされるべきビデオ・データのベアラの識別子を決定するように構成された決定ユニットとを備え、
送信ユニットは、ループバック指示情報を基地局に送信するようにさらに構成され、ループバック指示情報は、ループバックされるべきビデオ・データのベアラの識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。
【００１７】
ビデオ・キャプチャ端末は、
ベアラ・セットアップ要求をモビリティ管理エンティティに送信するように構成された送信ユニットであって、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップする、送信ユニットと、
基地局によって送信され、ビデオ・データのＮ個のストリーム内のビデオ・データのそれぞれのストリームに対応する監視パラメータを受信するように構成された受信ユニットであって、
送信ユニットは、ビデオ・データのＮ個のストリームのシリアル番号及び受信ユニットによって受信され、ビデオ・データのＮ個のストリーム内のビデオ・データのそれぞれのストリームのシリアル番号に対応する監視パラメータをトランキング端末に送信するようにさらに構成される、受信ユニットと、
ビデオ・データのＮ個のストリームをブロードキャストするように構成されたブロードキャスト・ユニットであって、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、ブロードキャスト・ユニットとを備える。
【００１８】
トランキング端末は、
ディスパッチ局によって送信された監視指示情報を受信するように構成された受信ユニットであって、監視指示情報は、監視されるように指定されたビデオ・データを監視することを必要とするそれぞれのトランキング端末グループに含まれるトランキング端末の識別子及びそれぞれのトランキング端末グループ内のすべてのトランキング端末が監視することを指定するビデオ・データのシリアル番号を収容し、ビデオ・キャプチャ端末によって送信される、ビデオ・データのＮ個のストリームのシリアル番号及びビデオ・データのＮ個のストリーム内のビデオ・データのそれぞれのストリームのシリアル番号に対応する監視パラメータを受信する、受信ユニットと、
トランキング端末自体の識別子に従って、それぞれのトランキング端末グループに含まれるトランキング端末のものであり受信ユニットによって受信された監視指示情報で収容される識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認するように構成された確認ユニットと、
監視されるように指定されたビデオ・データのものであり、確認ユニットによって確認されたシリアル番号に従って、監視されるように指定されたビデオ・データのシリアル番号に対応する監視パラメータを探索するように構成された探索ユニットと、
監視されるように指定されたビデオ・データのものであり、探索ユニットによって見つけられた監視パラメータを使用し、監視されるように指定されたビデオ・データを監視するように構成された監視ユニットとを備える。
【００１９】
基地局は、
ビデオ・キャプチャ端末によってブロードキャストされたビデオ・データのＮ個のストリームを受信するように構成された受信ユニットと、
受信ユニットによって受信されたビデオ・データのＮ個のストリーム内のビデオ・データのそれぞれのストリームに対する監視パラメータを構成するように構成された構成ユニットと、
ビデオ・データのＮ個のストリーム内のビデオ・データのそれぞれのストリームについて構成ユニットによって構成された監視パラメータをビデオ・キャプチャ端末に送信するように構成された送信ユニットであって、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視するように構成された送信ユニットとを備える。
【００２０】
ディスパッチ局は、
ビデオ・データのＮ個のストリームを受信するように構成された受信ユニットと、
受信ユニットがビデオ・データのＮ個のストリームを受信した後に監視指示情報をトランキング端末に送信するように構成された送信ユニットであって、監視指示情報は、監視されるように指定されたビデオ・データを監視することを必要とするそれぞれのトランキング端末グループに含まれるトランキング端末の識別子及びそれぞれのトランキング端末グループ内のすべてのトランキング端末が監視することを指定するビデオ・データのシリアル番号を収容し、これにより、トランキング端末は、トランキング端末自体の識別子に従って、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、送信ユニットとを備え、
監視パラメータは、ビデオ・データのＮ個のストリームのシリアル番号とともに、ビデオ・キャプチャ端末によってトランキング端末に送信される監視パラメータであり、ビデオ・データのＮ個のストリームのシリアル番号及び監視パラメータは、基地局がビデオ・キャプチャ端末によってブロードキャストされたビデオ・データのＮ個のストリームを受信した後に基地局によってビデオ・キャプチャ端末に送信され、監視パラメータは、ビデオ・データのＮ個のストリームのうちのビデオ・データのそれぞれのストリームのシリアル番号に対応する。
【００２１】
ビデオ監視システムは、トランキング端末、ビデオ・キャプチャ端末、基地局、モビリティ管理エンティティ、サービング・ゲートウェイ、パケット・データ・ネットワーク・ゲートウェイ、及びディスパッチ局を含み、
ビデオ・キャプチャ端末は、報告されるべきビデオ・データのＮ個のストリームのシリアル番号に関してディスパッチ局とネゴシエートした後にベアラ・セットアップ要求をモビリティ管理エンティティに送信し、ベアラ・セットアップ要求は、ビデオ・データのＮ個のストリームのシリアル番号を収容し、
モビリティ管理エンティティは、それぞれがビデオ・データのＮ個のストリームのうちの１つを送信するために使用される、Ｎ個の発展型パケット・ベアラをセットアップし、ビデオ・データの１つのストリームを送信するために使用されるそれぞれのベアラの識別子とベアラ上で送信されるビデオ・データの１つのストリームのシリアル番号とをそれに応じて格納し、Ｎは１以上の整数であり、
モビリティ管理エンティティ又はビデオ・キャプチャ端末は、ディスパッチ局によって送信されたビデオ・ループバック要求を受信し、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、
基地局は、モビリティ管理エンティティ又はビデオ・キャプチャ端末によって送信されるループバック指示情報を受信し、ループバック指示情報は、ループバックされるべきビデオ・データのベアラの識別子を収容し、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、
トランキング端末は、ループバックされるべきビデオ・データを監視する。
【００２２】
ビデオ監視システムは、トランキング端末、ビデオ・キャプチャ端末、基地局、モビリティ管理エンティティ、サービング・ゲートウェイ、パケット・データ・ネットワーク・ゲートウェイ、及びディスパッチ局を含み、
ビデオ・キャプチャ端末は、報告されるべきビデオ・データのＮ個のストリームのシリアル番号に関してディスパッチ局とネゴシエートした後にベアラ・セットアップ要求をモビリティ管理エンティティに送信し、ベアラ・セットアップ要求は、ビデオ・データのＮ個のストリームのシリアル番号を収容し、
モビリティ管理エンティティは、それぞれがビデオ・データのＮ個のストリームのうちの１つを送信するために使用される、Ｎ個の発展型パケット・ベアラをセットアップし、Ｎは１以上の整数であり、
基地局は、ビデオ・キャプチャ端末によってブロードキャストされたビデオ・データのＮ個のストリームを受信した後にビデオ・データのＮ個のストリーム内のビデオ・データのそれぞれのストリームに対する監視パラメータを構成し、ビデオ・データのＮ個のストリーム内のビデオ・データのそれぞれのストリームに対応する監視パラメータをビデオ・キャプチャ端末に送信し、
ビデオ・キャプチャ端末は、基地局によって送信され、ビデオ・データのＮ個のストリーム内のビデオ・データのそれぞれのストリームに対応する監視パラメータを受信し、ビデオ・データのＮ個のストリームのシリアル番号及びビデオ・データのＮ個のストリーム内のビデオ・データのそれぞれのストリームのシリアル番号に対応する監視パラメータをトランキング端末に送信し、ビデオ・データのＮ個のストリームをブロードキャストし、
ディスパッチ局は、ビデオ・データのＮ個のストリーム内のビデオ・データのそれぞれのストリームに対応する監視パラメータをビデオ・キャプチャ端末に送信し、
トランキング端末は、ディスパッチ局によって送信された監視指示情報を受信し、監視指示情報は、監視されるように指定されたビデオ・データを監視することを必要とするそれぞれのトランキング端末グループに含まれるトランキング端末の識別子及びそれぞれのトランキング端末グループ内のすべてのトランキング端末が監視することを指定するビデオ・データのシリアル番号を収容し、トランキング端末は、ビデオ・キャプチャ端末によって送信されたビデオ・データのＮ個のストリームのシリアル番号及びビデオ・データのＮ個のストリーム内のビデオ・データのそれぞれのストリームのシリアル番号に対応する監視パラメータを受信し、トランキング端末自体の識別子に従って、それぞれのトランキング端末グループに含まれるトランキング端末の識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。
【００２３】
本発明の実施形態は、ビデオ・キャプチャ端末によってアップロードされたビデオ・データのＮ個のストリームを受信するステップと、モビリティ管理エンティティ又はビデオ・キャプチャ端末によって送信されるループバック指示情報を受信するステップであって、ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数である、ステップと、ループバックされるべきビデオ・データのベアラの識別子に従って、ループバックされるべきビデオ・データのベアラの識別子に対応するループバックされるべきビデオ・データを確認するステップと、ループバックされるべきビデオ・データをトランキング端末に送信するステップとを含むデータ伝送方法を提供する。本発明の実施形態によって提供されるデータ伝送方法において、トランキング端末が監視する必要のあるデータは、基地局で直接ループバックされ、これにより、従来技術と比較して、伝送遅延を減らし、ビデオ監視によって取得されるビデオ・データをリアルタイムでトランキング端末に送信することができる。
【図面の簡単な説明】
【００２４】
【図１】本発明の一実施形態によるデータ伝送方法の概略図である。
【図２】本発明の一実施形態によるデータ伝送方法の概略図である。
【図３】本発明の一実施形態によるデータ伝送方法の概略図である。
【図４】本発明の一実施形態によるデータ伝送方法の概略図である。
【図５】本発明の一実施形態によるデータ伝送方法の概略図である。
【図６】本発明の一実施形態によるデータ伝送方法の概略図である。
【図７】本発明の一実施形態によるデータ伝送方法の概略図である。
【図８】本発明の一実施形態によるデータ伝送方法の概略図である。
【図９】本発明の一実施形態によるデータ伝送方法の概略図である。
【図１０】本発明の一実施形態によるデータ伝送方法の概略図である。
【図１１】本発明の一実施形態によるデータ伝送方法の概略図である。
【図１２】本発明の一実施形態による基地局の概略図である。
【図１３】本発明の一実施形態による基地局の概略図である。
【図１４】本発明の一実施形態による基地局の概略図である。
【図１５】本発明の一実施形態によるモビリティ管理エンティティの概略図である。
【図１６】本発明の一実施形態によるディスパッチ局の概略図である。
【図１７】本発明の一実施形態によるビデオ・キャプチャ端末の概略図である。
【図１８】本発明の一実施形態によるビデオ・キャプチャ端末の概略図である。
【図１９】本発明の一実施形態によるトランキング端末の概略図である。
【図２０】本発明の一実施形態によるトランキング端末の概略図である。
【図２１】本発明の一実施形態による基地局の概略図である。
【図２２】本発明の一実施形態によるディスパッチ局の概略図である。
【発明を実施するための形態】
【００２５】
本発明の実施形態は、伝送遅延を低減し、ビデオ監視によって取得されたビデオ・データをトランキング端末にリアルタイムで送信することができる、データ伝送方法を実現提供する。本発明の実施形態は、対応するデバイス及びシステムをさらに提供する。これ以降、これらの実施形態について詳述する。
【００２６】
図１を参照すると、基地局の観点から、データ伝送方法の一実施形態は、以下を含む。
【００２７】
１０１．基地局は、ビデオ・キャプチャ端末によってアップロードされたビデオ・データのＮ個のストリームを受信する。
【００２８】
本発明のこの実施形態におけるビデオ・キャプチャ端末は、カメラに似た装置と同等のものである。本発明のこの実施形態においてビデオ・キャプチャ端末によってアップロードされ、基地局によって受信されるデータは、データの１つのストリームであり、またデータの複数のストリームであってもよい。
【００２９】
従来技術において、トランキング通信に基づくビデオ監視システムは、トランキング端末、ビデオ・キャプチャ端末、基地局、モビリティ管理エンティティ（ＭＭＥ：Ｍｏｂｉｌｉｔｙ  Ｍａｎａｇｅｍｅｎｔ  Ｅｎｔｉｔｙ）、サービング・ゲートウェイ（Ｓ−ＧＷ：Ｓｅｒｖｉｎｇ  Ｇａｔｅｗａｙ）、パケット・データ・ネットワーク・ゲートウェイ（Ｐ−ＧＷ：Ｐａｃｋｅｔ  Ｄａｔａ  Ｎｅｔｗｏｒｋ  Ｇａｔｅｗａｙ）、及びディスパッチ局を含み、ＭＭＥは、ビデオ・キャプチャ端末からＰ−ＧＷへのベアラをセットアップする役割を有し、ビデオ・キャプチャ端末によってキャプチャされたビデオ・データは、ビデオ・キャプチャ端末からＰ−ＧＷへのベアラを通じてディスパッチ局に送信され、ディスパッチ局は、受信されたビデオ・データに従って決定を下し、次いで、ループバックされるべきデータをトランキング端末に送信する。このデータ伝送プロセスにおいて、伝送遅延は増大し、データはリアルタイムでトランキング端末に送信され得ない。
【００３０】
本発明のこの実施形態によって提供されるデータ伝送の解決策は、以下のとおりである。
【００３１】
基地局は、ビデオ・キャプチャ端末によってアップロードされたビデオ・データを受信し、受信されたデータを、ビデオ・キャプチャ端末からＰ−ＧＷへのモビリティ管理エンティティによってセットアップされたベアラを通じてディスパッチ局に送信し、決定を下した後、ディスパッチ局は、ビデオ・データの一部を、ビデオ・データのこの部分が同時にディスパッチ局にアップロードされている間に、トランキング端末に直接ループバックすることを基地局に命令する。したがって、トランキング端末が監視する必要のあるビデオ・データは、基地局において直接ループバックされ、コア・ネットワークを通らないので、長い伝送遅延を発生しない。
【００３２】
理解しやすくするため、本発明のアプリケーションは、具体的事例を使用して説明され得る。
【００３３】
２０階建てのホテルにおいて、１０台のカメラ、つまり、本発明のこの実施形態で言及されているビデオ・キャプチャ端末がそれぞれの階に設置されている。それぞれのカメラによってキャプチャされたビデオ・データは、ネットワークを使用することによってディスパッチ局にアップロードされる。ディスパッチ局の職員が、５階のカメラによってアップロードされたビデオ・データが５階で火災が起きていることを示していることに気づいたときに、ディスパッチ局は、３〜７階にいる警備員を５階の火災の消火作業に割り当て、ディスパッチ局は、その後キャプチャされた５階のビデオ・データを３〜７階にいる警備員が携える端末に直接送信することを基地局に命令する。このようにして、３〜７階にいる警備員が受信したビデオ・データは、リアルタイム監視から取得され、ビデオ・データにはコア・ネットワークの伝送遅延は一切生じず、警備員が火災を遅れずにコントロールしやすくなる。
【００３４】
１０２．基地局は、モビリティ管理エンティティ又はビデオ・キャプチャ端末によって送信されるループバック指示情報を受信し、ループバック指示情報は、ループバックされるべきビデオ・データのベアラの識別子を収容する。
【００３５】
ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数である。
【００３６】
基地局は、受信されたビデオ・データをディスパッチ局にリアルタイムでアップロードする必要がある。ディスパッチ局は、ビデオ・データの受信されたＮ個のストリームに従って、ループバックされるべきデータを決定し、次いで、ループバックされるべきデータ情報を基地局に送信する。以下の２つの解決策が、ループバックされるべきデータ情報を基地局に送信するために使用され得る。
【００３７】
一解決策は以下のとおりである。
【００３８】
ビデオ・キャプチャ端末によって報告されたＭ個のビデオ・データのシリアル番号を受信した後に、ディスパッチ局は、Ｍ個のビデオ・データのシリアル番号で指定されたＮ個のビデオ・データのシリアル番号に対応するビデオ・データを報告することをビデオ・キャプチャ端末に命令し、ＭはＮ以上であり、Ｎは１以上の整数であり、ディスパッチ局は、ビデオ・キャプチャ端末によってアップロードされたビデオ・データのＮ個のストリームを受信した後に、ループバックされるべきビデオ・データを確認し、ビデオ・ループバック要求をモビリティ管理エンティティに送信し、ビデオ・ループバック要求は、ループバックされるべきビデオ・データのシリアル番号を収容する。
【００３９】
モビリティ管理エンティティは、ループバックされるべきビデオ・データのシリアル番号に従って、ループバックされるべきビデオ・データのシリアル番号に対応するループバックされるべきビデオ・データのベアラの識別子を確認する。
【００４０】
基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する。
【００４１】
モビリティ管理エンティティによって送信されたループバック指示情報が受信される場合、この解決策は、モビリティ管理エンティティによって送信されたベアラ修正要求を受信するステップと、ビデオ・データ伝送ベアラを修正し、修正された伝送ベアラの識別子と修正前の伝送ベアラの識別子との間のマッピング関係を確認するステップとをさらに含む。基地局がベアラを修正する場合、基地局は、修正前のベアラと修正済みのベアラとの間のマッピング関係に従って、ベアラの識別子に対応するデータも決定する。ベアラを何回修正しようと、ビデオ・データのシリアル番号とビデオ・データとの間のマッピング関係は、決定することができる。
【００４２】
ベアラの識別子とビデオ・データのシリアル番号との間のマッピング関係についてここで簡単に説明する。
【００４３】
ビデオ・キャプチャ端末は、ベアラ・セットアップ要求を開始し、ベアラ・セットアップ要求は、ビデオ・データのＮ個のストリームのシリアル番号を収容し、ビデオ・キャプチャ端末によって送信されたベアラ・セットアップ要求を受信した後に、モビリティ管理エンティティは、Ｎ個の発展型パケット・ベアラをセットアップし、それぞれのベアラは、ビデオ・データの１つのストリームに対応し、それぞれのベアラの識別子及びビデオ・データのそれぞれのストリームの識別子は、対応する形で格納される。このようにして、ディスパッチ局によって送信されたビデオ・ループバック要求を受信した後に、モビリティ管理エンティティは、ループバックされるべきビデオ・データのシリアル番号に従って、シリアル番号に対応しているベアラの識別子を探索することができ、それにより、ループバック・データ情報をディスパッチ局から基地局に送信するプロセスを完了する。
【００４４】
別の解決策は以下のとおりである。
【００４５】
ディスパッチ局は、ビデオ・ループバック要求をビデオ・キャプチャ端末に送信し、ビデオ・ループバック要求を受信した後に、ビデオ・キャプチャ端末は、ループバック指示情報を基地局に送信し、ループバック指示情報は、ループバックされるべきビデオ・データのベアラの識別子を収容し、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。
【００４６】
１０３．基地局は、ループバックされるべきビデオ・データのベアラの識別子に従って、ループバックされるべきビデオ・データのベアラの識別子に対応するループバックされるべきビデオ・データを確認する。
【００４７】
基地局がモビリティ管理エンティティによって送信されたループバック指示情報又はビデオ・キャプチャ端末によって送信されたループバック指示情報を受信するかどうかに関係なく、ループバック指示情報は、ループバックされるべきビデオ・データのベアラの識別子を収容する。したがって、基地局は、ループバックされるべきビデオ・データのベアラの識別子に従って、ループバックされるべきビデオ・データのベアラの識別子に対応するループバックされるべきビデオ・データを確認することができる。
【００４８】
１０４．基地局は、ループバックされるべきビデオ・データをトランキング端末に送信する。
【００４９】
ループバックされるべきビデオ・データがステップ１０３で決定された後、ループバックされるべきビデオ・データは、トランキング端末に送信される。
【００５０】
モビリティ管理エンティティによって送信されるループバック指示情報は、ループバックされるべきビデオ・データを監視する必要があるそれぞれのトランキング端末グループに含まれるトランキング端末の識別子、及びそれぞれのトランキング端末グループ内のすべてのトランキング端末が監視する必要があるループバックされるべきビデオ・データのシリアル番号をさらに収容する。
【００５１】
ループバックされるべきビデオ・データをトランキング端末に送信する前に、この方法は、
無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）をループバックされるべきビデオ・データのそれぞれのストリームに割り当て、第１の監視指示情報をトランキング端末に送信するか、又は第１のビデオ・ループバック応答をビデオ・キャプチャ端末に送信するステップをさらに含み、
第１の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視し、
第１のビデオ・ループバック応答は、ループバックされるべきビデオ・データのそれぞれのストリームに割り当てられた無線ネットワーク一時識別子を収容し、これにより、ビデオ・キャプチャ端末は、第２のビデオ・ループバック応答をディスパッチ局に送信し、第２のビデオ・ループバック応答は、ループバックされるべきビデオ・データのそれぞれのストリームのシリアル番号及びループバックされるべきビデオ・データのそれぞれのストリームの無線ネットワーク一時識別子を収容し、これにより、ディスパッチ局は、第２の監視指示情報をトランキング端末に送信し、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【００５２】
トランキング端末がループバックされるべきビデオ・データを監視するプロセスの一例は以下のとおりである。
【００５３】
０、１、２、．．．、９の合計１０個のトランキング端末があり、０、１、２、及び３は１つのグループに、それ以外は別のグループに配置構成される。この場合、第１のグループに関する情報は、グループ識別子、例えば、Ｇｒｏｕｐ１、グループ番号０、１、２、及び３、このグループ内の監視されるべきビデオ・データのシリアル番号、例えば、３階のエリアＡと３階のエリアＣにある２台のカメラのシリアル番号３Ａ及び３Ｃであり、それぞれのＲＮＴＩは、ビデオ・データのストリームのシリアル番号に対応する、例えば、ＲＮＴＩ＿１は３Ａに対応し、ＲＮＴＩ＿２は３Ｃに対応する。
【００５４】
識別子が１であるトランキング端末が、トランキング端末自体を含むグループがＧｒｏｕｐ１であることを検出したと仮定すると、トランキング端末は、それがＲＮＴＩ＿１を使用して番号３Ａを割り当てられているビデオ・データを監視し、ＲＮＴＩ＿２を使用して番号３Ｃを割り当てられているビデオ・データを監視する必要があることを知ることができる。
【００５５】
したがって、基地局は、ビデオ・データをトランキング端末グループに１度だけ送信すればよい。このトランキング端末グループ内のそれぞれのトランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【００５６】
本発明のこの実施形態では、基地局は、ビデオ・キャプチャ端末によってアップロードされたビデオ・データのＮ個のストリームを受信し、モビリティ管理エンティティ又はビデオ・キャプチャ端末によって送信されるループバック指示情報を受信し、ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数であり、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。本発明のこの実施形態によって提供されるデータ伝送方法において、トランキング端末が監視する必要のあるデータは、基地局で直接ループバックされ、これにより、従来技術と比較して、伝送遅延を減らし、ビデオ監視によって取得されるビデオ・データをリアルタイムでトランキング端末に送信することができる。
【００５７】
図２を参照すると、モビリティ管理エンティティの観点から、データ伝送方法の別の実施形態は、以下を含む。
【００５８】
２０１．モビリティ管理エンティティは、ビデオ・キャプチャ端末によって送信されたベアラ・セットアップ要求を受信し、ベアラ・セットアップ要求は、ビデオ・データのＮ個のストリームのシリアル番号を収容する。
【００５９】
本発明のこの実施形態では、モビリティ管理エンティティの観点から、モビリティ管理エンティティは、データ伝送を行うためにビデオ・キャプチャ端末からＰ−ＧＷへのベアラをセットアップする役割を有する。従来技術とは異なり、ベアラ・セットアップ要求は、ビデオ・データのＮ個のストリームのシリアル番号を収容する。
【００６０】
２０２．モビリティ管理エンティティは、それぞれがビデオ・データのＮ個のストリームのうちの１つを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームのシリアル番号とを格納し、Ｎは１以上の整数である。
【００６１】
データの特定の量のストリームに対してベアラをセットアップする要求を受信した後、モビリティ管理エンティティは、データのその特定の量のストリームに対してベアラをセットアップし、それぞれのベアラは、ビデオ・データの１つのストリームに対応し、それぞれのベアラの識別子及びビデオ・データのそれぞれのストリームのシリアル番号は、対応する形で格納される。
【００６２】
２０３．モビリティ管理エンティティは、ディスパッチ局によって送信されたビデオ・ループバック要求を受信し、ビデオ・ループバック要求は、ループバックされるべきビデオ・データのシリアル番号を収容する。
【００６３】
ディスパッチ局は、ループバックされるべきデータ情報を基地局に送信する。ループバックされるべきデータ情報の送信は、モビリティ管理エンティティを使用することによって完了させることができるが、このことは、ステップ２０３〜２０５を用いて具体的に理解できる。
【００６４】
ディスパッチ局は、ビデオ・ループバック要求をモビリティ管理エンティティに送信し、モビリティ管理エンティティは、ディスパッチ局によって送信されたビデオ・ループバック要求を受信し、ビデオ・ループバック要求は、ループバックされるべきビデオ・データのシリアル番号を収容する。
【００６５】
ビデオ・ループバック要求は、ループバックされるべきビデオ・データを監視する必要があるそれぞれのトランキング端末グループに含まれるトランキング端末の識別子、及びそれぞれのトランキング端末グループ内のすべてのトランキング端末が監視する必要があるループバックされるべきビデオ・データのシリアル番号をさらに収容する。
【００６６】
２０４．モビリティ管理エンティティは、ループバックされるべきビデオ・データのシリアル番号に従って、ビデオ・データのシリアル番号とベアラの識別子との間の格納されているマッピング関係を、ループバックされるべきビデオ・データのシリアル番号に対応するベアラの識別子について探索する。
【００６７】
ステップ２０２でベアラがセットアップされると、ビデオ・データのシリアル番号とベアラの識別子との間のマッピング関係が格納される。したがって、ループバックされるべきビデオ・データのシリアル番号に対応するベアラの識別子は、ループバックされるべきビデオ・データのシリアル番号に従って見つけることができる。
【００６８】
２０５．モビリティ管理エンティティは、ループバック指示情報を基地局に送信し、ループバック指示情報は、ループバックされるべきビデオ・データのベアラの見つかった識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。
【００６９】
ループバック指示情報は、ループバックされるべきビデオ・データを監視する必要があるそれぞれのトランキング端末グループに含まれるトランキング端末の識別子、及びそれぞれのトランキング端末グループ内のすべてのトランキング端末が監視する必要があるループバックされるべきビデオ・データのシリアル番号をさらに収容する。
【００７０】
ループバック指示情報が基地局に送信されると、ベアラ修正要求も基地局に送信され、これにより、基地局は、ビデオ・データ伝送ベアラを修正し、修正された伝送ベアラの識別子と修正前の伝送ベアラの識別子との間のマッピング関係を確認する。
【００７１】
本発明のこの実施形態では、モビリティ管理エンティティは、ビデオ・キャプチャ端末によって送信されたベアラ・セットアップ要求を受信し、ベアラ・セットアップ要求は、ビデオ・データのＮ個のストリームのシリアル番号を収容し、それぞれがビデオ・データのＮ個のストリームのうちの１つを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームのシリアル番号とを格納し、Ｎは１以上の整数であり、ディスパッチ局によって送信されたビデオ・ループバック要求を受信し、ビデオ・ループバック要求は、ループバックされるべきビデオ・データのシリアル番号を収容し、ループバックされるべきビデオ・データのシリアル番号に従って、ビデオ・データのシリアル番号とベアラの識別子との間の格納されているマッピング関係を、ループバックされるべきビデオ・データのシリアル番号に対応するベアラの識別子について探索し、ループバック指示情報を基地局に送信し、ループバック指示情報は、ループバックされるべきビデオ・データのベアラの見つかった識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。本発明のこの実施形態によって提供されるデータ伝送方法において、トランキング端末によって必要とされるデータは、基地局で直接ループバックされ、これにより、従来技術と比較して、伝送遅延を減らし、ビデオ監視によって取得されるビデオ・データをリアルタイムでトランキング端末に送信することができる。
【００７２】
図３を参照すると、ディスパッチ局の観点から、データ伝送方法の別の実施形態は、以下を含む。
【００７３】
３０１．ビデオ・キャプチャ端末によって報告されたＭ個のビデオ・データのシリアル番号を受信した後に、ディスパッチ局は、Ｍ個のビデオ・データのシリアル番号で指定されたＮ個のビデオ・データのシリアル番号に対応するビデオ・データを報告することをビデオ・キャプチャ端末に命令し、ＭはＮ以上であり、Ｎは１以上の整数である。
【００７４】
ビデオ・キャプチャ端末は、最初に、どのビデオ・データのシリアル番号が報告されるべきか、報告されるビデオ・データの分解能、圧縮符号化モード、ビット・レートなどに関してディスパッチ局とネゴシエートする必要がある。ビデオ・キャプチャ端末が、Ｍ個のビデオ・データのシリアル番号を報告した後、Ｍ個のビデオ・データのシリアル番号のうちのＮ個のビデオ・データのシリアル番号に対応するビデオ・データが報告されることをディスパッチ局が決定した場合、ディスパッチ局は、Ｎ個のビデオ・データのシリアル番号を配信し、ビデオ・データが報告されるときに使用される分解能、圧縮符号化モード、ビット・レートなどを指定する。
【００７５】
３０２．ビデオ・キャプチャ端末によってアップロードされたビデオ・データのＮ個のストリームを受信した後に、ディスパッチ局は、ループバックされるべきビデオ・データを確認する。
【００７６】
ビデオ・キャプチャ端末が、ディスパッチ局によって送信された報告指示を受信した後、ビデオ・キャプチャ端末は、ディスパッチ局によって指定された分解能、圧縮符号化モード、及びビット・レートを使用することによって、ディスパッチ局によって指定されたビデオ・データのＮ個のストリームを報告する。ビデオ・キャプチャ端末によってアップロードされたビデオ・データのＮ個のストリームを受信した後に、ディスパッチ局は、ビデオ・データ内の情報に従って、ループバックされるべきビデオ・データを確認する。
【００７７】
ディスパッチ局は、ヘッド局（ｈｅａｄ  ｓｔａｔｉｏｎ）と同等のものであり、司令部（ｃｏｍｍａｎｄ  ｈｅａｄｑｕａｒｔｅｒｓ）に類似している。例えば、ステップ１０１の場合、２０階建てのホテルのディスパッチ局は、ホテル内のそれぞれのカメラによって監視されるビデオ・データを受信することができ、火災又は他の非常事態が生じたときに、付近にいる職員に活動するよう命令することができる。
【００７８】
３０３．モビリティ管理エンティティ又はビデオ・キャプチャ端末にビデオ・ループバック要求を送信し、ビデオ・ループバック要求はループバックされるべきビデオ・データのシリアル番号を収容する。
【００７９】
モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認する。
【００８０】
基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する。
【００８１】
本発明のこの実施形態では、ビデオ・キャプチャ端末によって報告されたＭ個のビデオ・データのシリアル番号を受信した後に、ディスパッチ局は、Ｍ個のビデオ・データのシリアル番号で指定されたＮ個のビデオ・データのシリアル番号に対応するビデオ・データを報告することをビデオ・キャプチャ端末に命令し、ＭはＮ以上であり、Ｎは１以上の整数であり、ビデオ・キャプチャ端末によってアップロードされたビデオ・データのＮ個のストリームを受信した後に、ループバックされるべきビデオ・データを確認し、モビリティ管理エンティティ又はビデオ・キャプチャ端末にビデオ・ループバック要求を送信し、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する。本発明のこの実施形態によって提供されるデータ伝送方法において、トランキング端末によって必要とされるデータは、基地局で直接ループバックされ、これにより、従来技術と比較して、伝送遅延を減らし、ビデオ監視によって取得されるビデオ・データをリアルタイムでトランキング端末に送信することができる。
【００８２】
適宜、本発明のこの実施形態において、ビデオ・ループバック要求をビデオ・キャプチャ端末に送信した後に、この方法は、ビデオ・キャプチャ端末によって送信されたビデオ・ループバック応答を受信するステップであって、ビデオ・ループバック応答は、ループバックされるべきビデオ・データのシリアル番号及びシリアル番号に対応する無線ネットワーク一時識別子を収容するステップと、第２の監視指示情報をトランキング端末に送信するステップとを含み、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【００８３】
図４を参照すると、ビデオ・キャプチャ端末の観点から、データ伝送方法の別の実施形態は、以下を含む。
【００８４】
４０１．報告されるべきビデオ・データのＮ個のストリームのシリアル番号に関してディスパッチ局とネゴシエートした後に、ビデオ・キャプチャ端末は、ビデオ・データのＮ個のストリームのシリアル番号に対応するビデオ・データのＮ個のストリームを基地局に送信し、ベアラ・セットアップ要求をモビリティ管理エンティティに送信し、ベアラ・セットアップ要求は、ビデオ・データのＮ個のストリームのシリアル番号を収容する。
【００８５】
上記ステップ３０１により、報告されるべきビデオ・データのＮ個のストリームのシリアル番号に関してディスパッチ局とネゴシエートした後に、ビデオ・キャプチャ端末は、ビデオ・データのＮ個のストリームのシリアル番号に対応するビデオ・データのＮ個のストリームを基地局に送信し、ベアラ・セットアップ要求をモビリティ管理エンティティに送信し、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームの番号とを格納する。
【００８６】
４０２．ビデオ・キャプチャ端末は、ディスパッチ局によって送信されたビデオ・ループバック要求を受信し、ビデオ・ループバック要求は、ループバックされるべきビデオ・データのシリアル番号を収容する。
【００８７】
４０３．ディスパッチ局のビデオ・ループバック要求に収容されるループバックされるべきビデオ・データのシリアル番号に従って、ループバックされるべきビデオ・データのベアラの識別子を決定する。
【００８８】
４０４．ループバック指示情報を基地局に送信し、ループバック指示情報は、ループバックされるべきビデオ・データのベアラの識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。
【００８９】
本発明のこの実施形態によって提供される方法は、
基地局によって送信された第１のビデオ・ループバック応答を受信するステップであって、第１のビデオ・ループバック応答は、ループバックされるべきビデオ・データのそれぞれのストリームに割り当てられた無線ネットワーク一時識別子を収容する、ステップと、
第２のビデオ・ループバック応答をディスパッチ局に送信するステップとを含み、第２のビデオ・ループバック応答は、ループバックされるべきビデオ・データのそれぞれのストリームのシリアル番号及びループバックされるべきビデオ・データのそれぞれのストリームの無線ネットワーク一時識別子を収容し、これにより、ディスパッチ局は、第２の監視指示情報をトランキング端末に送信し、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【００９０】
本発明のこの実施形態では、報告されるべきビデオ・データのＮ個のストリームのシリアル番号に関してディスパッチ局とネゴシエートした後に、ビデオ・キャプチャ端末は、ビデオ・データのＮ個のストリームのシリアル番号に対応するビデオ・データのＮ個のストリームを基地局に送信し、ベアラ・セットアップ要求をモビリティ管理エンティティに送信し、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームのシリアル番号とを格納し、ディスパッチ局によって送信されたビデオ・ループバック要求を受信し、ビデオ・ループバック要求は、ループバックされるべきビデオ・データのシリアル番号を収容し、ディスパッチ局のビデオ・ループバック要求に収容されるループバックされるべきビデオ・データのシリアル番号に従って、ループバックされるべきビデオ・データのベアラの識別子を決定し、ループバック指示情報を基地局に送信し、ループバック指示情報は、ループバックされるべきビデオ・データのベアラの識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。本発明のこの実施形態によって提供されるデータ伝送方法において、トランキング端末によって必要とされるデータは、基地局で直接ループバックされ、これにより、従来技術と比較して、伝送遅延を減らし、ビデオ監視によって取得されるビデオ・データをリアルタイムでトランキング端末に送信することができる。
【００９１】
上述した４つの実施形態では、基地局においてデータ・ループバックの解決策を使用して従来技術における長い伝送遅延の課題を解決する仕方についてもっぱら説明している。図５〜８に対応する以下の実施形態では、データは、ビデオ・キャプチャ端末によって直接ブロードキャストされ、トランキング端末及び基地局は両方とも、ビデオ・キャプチャ端末によってブロードキャストされるデータを監視することができ、基地局は、監視されているビデオ・データをディスパッチ局に報告することができ、これにより、従来技術における伝送遅延は生じない。トランキング端末は、ディスパッチ局の指示に従って、ディスパッチ局が監視することを指定するデータのみを監視することができる。
【００９２】
図５を参照すると、ビデオ・キャプチャ端末の観点から、本発明におけるデータ伝送方法の別の実施形態は、以下を含む。
【００９３】
５０１．ビデオ・キャプチャ端末は、ベアラ・セットアップ要求をモビリティ管理エンティティに送信し、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップする。
【００９４】
５０２．ビデオ・キャプチャ端末は、基地局によって送信され、ビデオ・データのＮ個のストリーム内のビデオ・データのそれぞれのストリームに対応する監視パラメータを受信し、ビデオ・データのＮ個のストリームのシリアル番号及びビデオ・データのＮ個のストリーム内のビデオ・データのそれぞれのストリームのシリアル番号に対応する監視パラメータをトランキング端末に送信する。
【００９５】
ビデオ・データを監視するために、トランキング端末は、ビデオ・データのロケーションを知る必要がある。監視パラメータは、ビデオ・キャプチャ端末に対して基地局によって実際に構成され、リソースのロケーション、送信電力、変調及び符号化方式など、つまり、業界でよく言われるリソース半静的調整ポリシー（ｒｅｓｏｕｒｃｅ  ｓｅｍｉ−ｓｔａｔｉｃ  ａｄｊｕｓｔｍｅｎｔ  ｐｏｌｉｃｙ）のコンテンツを含む。ビデオ・データのそれぞれのストリームは、１つの監視パラメータに対応する。
【００９６】
５０３．ビデオ・キャプチャ端末は、ビデオ・データのＮ個のストリームをブロードキャストする。
【００９７】
ビデオ・キャプチャ端末は、ビデオ・データのＮ個のストリームをブロードキャストし、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。
【００９８】
本発明のこの実施形態では、ベアラ・セットアップ要求がモビリティ管理エンティティに送信され、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、基地局によって送信され、ビデオ・データのＮ個のストリーム内のビデオ・データのそれぞれのストリームに対応する監視パラメータが受信され、ビデオ・データのＮ個のストリームのシリアル番号及びビデオ・データのＮ個のストリーム内のビデオ・データのそれぞれのストリームのシリアル番号に対応する監視パラメータがトランキング端末に送信され、ビデオ・データのＮ個のストリームがブロードキャストされ、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。本発明のこの実施形態によって提供されるデータ伝送方法において、ビデオ・キャプチャ端末は、ビデオ・データをブロードキャストし、トランキング端末は、ディスパッチ局の指示に従って、ディスパッチ局が監視することを指定するデータのみを監視する。従来技術と比較して、これは、伝送遅延を引き起こすことも、アップリンク方向とダウンリンク方向とで２回データを送信することを必要とすることもなく、したがってスペクトル利用率を効果的に改善する。
【００９９】
適宜、基地局がビデオ・データのそれぞれのストリームの監視パラメータを調整した後、この方法は、基地局によって送信され、ビデオ・データのＮ個のストリームに対応する調整された監視パラメータを受信するステップと、ビデオ・データのＮ個のストリームのシリアル番号及びビデオ・データのＮ個のストリームのシリアル番号に対応する調整された監視パラメータをトランキング端末に送信し、これにより、トランキング端末は、監視されるように指定されたビデオ・データのシリアル番号に従って、監視されるように指定されたビデオ・データのシリアル番号に対応する調整された監視パラメータを探索し、見つかった調整された監視パラメータを使用して監視されるように指定されたビデオ・データを監視する、ステップとをさらに含む。
【０１００】
図６を参照すると、トランキング端末の観点から、データ伝送方法の別の実施形態は、以下を含む。
【０１０１】
６０１．トランキング端末は、ディスパッチ局によって送信された監視指示情報を受信し、監視指示情報は、監視されるように指定されたビデオ・データを監視することを必要とするそれぞれのトランキング端末グループに含まれるトランキング端末の識別子及びそれぞれのトランキング端末グループ内のすべてのトランキング端末が監視することを指定するビデオ・データのシリアル番号を収容する。
【０１０２】
６０２．トランキング端末は、ビデオ・キャプチャ端末によって送信される、ビデオ・データのＮ個のストリームのシリアル番号及びビデオ・データのＮ個のストリーム内のビデオ・データのそれぞれのストリームのシリアル番号に対応する監視パラメータを受信する。
【０１０３】
６０３．トランキング端末は、トランキング端末自体の識別子に従って、それぞれのトランキング端末グループに含まれるトランキング端末の識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認する。
【０１０４】
６０４．トランキング端末は、監視されるように指定されたビデオ・データのシリアル番号に従って、監視されるように指定されたビデオ・データのシリアル番号に対応する監視パラメータを探索する。
【０１０５】
６０５．トランキング端末は、監視されるように指定されたビデオ・データの見つかった監視パラメータを使用して、監視されるように指定されたビデオ・データを監視する。
【０１０６】
本発明のこの実施形態では、トランキング端末が、監視されるように指定されたビデオ・データを監視する場合、この方法は、ビデオ・キャプチャ端末のチャネル品質を監視するステップと、チャネル品質を基地局に送信するステップであって、これにより、基地局は、チャネル品質に従って、ビデオ・データのＮ個のストリームのシリアル番号に対応する監視パラメータを再構成する、ステップとをさらに含む。
【０１０７】
本発明のこの実施形態では、ディスパッチ局によって送信された監視指示情報が受信され、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、ビデオ・キャプチャ端末によって送信される、ビデオ・データのＮ個のストリームのシリアル番号及びビデオ・データのＮ個のストリーム内のビデオ・データのそれぞれのストリームのシリアル番号に対応する監視パラメータが受信され、トランキング端末自体の識別子に従って、それぞれのトランキング端末グループに含まれるトランキング端末の識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号が確認され、監視されるように指定されたビデオ・データのシリアル番号に従って、監視されるように指定されたビデオ・データのシリアル番号に対応する監視パラメータが探索され、監視されるように指定されたビデオ・データの見つかった監視パラメータが、監視されるように指定されたビデオ・データを監視するために使用される。本発明のこの実施形態によって提供されるデータ伝送方法において、ビデオ・キャプチャ端末は、ビデオ・データをブロードキャストし、トランキング端末は、ディスパッチ局の指示に従って、ディスパッチ局が監視することを指定するデータのみを監視する。従来技術と比較して、これは、伝送遅延を引き起こすことも、アップリンク方向とダウンリンク方向とで２回データを送信することを必要とすることもなく、したがってスペクトル利用率を効果的に改善する。
【０１０８】
図７を参照すると、基地局の観点から、データ伝送方法の別の実施形態は、以下を含む。
【０１０９】
７０１．基地局は、ビデオ・キャプチャ端末によってブロードキャストされたビデオ・データのＮ個のストリームを受信する。
【０１１０】
基地局は、ビデオ・キャプチャ端末によってブロードキャストされたビデオ・データを監視し、次いで、監視されているビデオ・データをディスパッチ局にアップロードすることができる。
【０１１１】
７０２．基地局は、ビデオ・データのＮ個のストリーム内のビデオ・データのそれぞれのストリームに対する監視パラメータを構成する。
【０１１２】
ビデオ・キャプチャ端末に対して基地局によって構成された監視パラメータは、リソースのロケーション、送信電力、変調及び符号化方式など、つまり、業界でよく言われるリソース半静的調整ポリシーのコンテンツを含む。ビデオ・データのそれぞれのストリームは、１つの監視パラメータに対応する。
【０１１３】
７０３．基地局は、ビデオ・データのＮ個のストリーム内のビデオ・データのそれぞれのストリームに対応する監視パラメータをビデオ・キャプチャ端末に送信する。
【０１１４】
基地局は、ビデオ・データのＮ個のストリーム内のビデオ・データのそれぞれのストリームに対応する監視パラメータをビデオ・キャプチャ端末に送信し、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。
【０１１５】
本発明のこの実施形態では、ビデオ・キャプチャ端末によってブロードキャストされたビデオ・データのＮ個のストリームが受信され、ビデオ・データのＮ個のストリーム内のビデオ・データのそれぞれのストリームに対する監視パラメータが構成され、ビデオ・データのＮ個のストリーム内のビデオ・データのそれぞれのストリームに対応する監視パラメータがビデオ・キャプチャ端末に送信され、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。本発明のこの実施形態によって提供されるデータ伝送方法において、ビデオ・キャプチャ端末は、ビデオ・データをブロードキャストし、トランキング端末は、ディスパッチ局の指示に従って、ディスパッチ局が監視することを指定するデータのみを監視する。従来技術と比較して、これは、伝送遅延を引き起こすことも、アップリンク方向とダウンリンク方向とで２回データを送信することを必要とすることもなく、したがってスペクトル利用率を効果的に改善する。
【０１１６】
適宜、本発明のこの実施形態によって提供される方法は、トランキング端末によって送信されるビデオ・キャプチャ端末のチャネル品質を受信するステップと、ビデオ・キャプチャ端末のチャネル品質に従って、ビデオ・データのＮ個のストリームのシリアル番号に対応する監視パラメータを調整し、ビデオ・データのＮ個のストリームのシリアル番号に対応する調整された監視パラメータをビデオ・キャプチャ端末に送信するステップであって、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する調整された監視パラメータをトランキング端末に送信し、これにより、トランキング端末は、監視されるように指定されたビデオ・データのシリアル番号に従って、監視されるように指定されたビデオ・データのシリアル番号に対応する調整された監視パラメータを探索し、監視されるように指定されたビデオ・データの見つかった調整された監視パラメータを使用して、監視されるように指定されたビデオ・データを監視する、ステップとをさらに含む。
【０１１７】
図８を参照すると、ディスパッチ局の観点から、データ伝送方法の別の実施形態は、以下を含む。
【０１１８】
８０１．ディスパッチ局は、ビデオ・データのＮ個のストリームを受信する。
【０１１９】
ディスパッチ局は、ビデオ・キャプチャ端末によって報告されたビデオ・データのＮ個のストリームを受信する。
【０１２０】
８０２．ディスパッチ局は、監視指示情報をトランキング端末に送信し、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容する。
【０１２１】
ディスパッチ局は、監視指示情報をトランキング端末に送信し、これにより、トランキング端末は、トランキング端末自体の識別子に従って、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。
【０１２２】
監視パラメータは、ビデオ・データのＮ個のストリームのシリアル番号とともに、ビデオ・キャプチャ端末によってトランキング端末に送信される監視パラメータであり、ビデオ・データのＮ個のストリームのシリアル番号及び監視パラメータは、基地局がビデオ・キャプチャ端末によってブロードキャストされたビデオ・データのＮ個のストリームを受信した後に基地局によってビデオ・キャプチャ端末に送信され、監視パラメータは、ビデオ・データのＮ個のストリームのうちのビデオ・データのそれぞれのストリームのシリアル番号に対応する。
【０１２３】
本発明のこの実施形態では、ビデオ・データのＮ個のストリームが受信された後に、監視指示情報がトランキング端末に送信され、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、これにより、トランキング端末は、トランキング端末自体の識別子に従って、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視し、監視パラメータは、ビデオ・データのＮ個のストリームのシリアル番号とともに、ビデオ・キャプチャ端末によってトランキング端末に送信される監視パラメータであり、ビデオ・データのＮ個のストリームのシリアル番号及び監視パラメータは、基地局がビデオ・キャプチャ端末によってブロードキャストされたビデオ・データのＮ個のストリームを受信した後に基地局によってビデオ・キャプチャ端末に送信され、監視パラメータは、ビデオ・データのＮ個のストリームのうちのビデオ・データのそれぞれのストリームのシリアル番号に対応する。本発明のこの実施形態によって提供されるデータ伝送方法において、ビデオ・キャプチャ端末は、ビデオ・データをブロードキャストし、トランキング端末は、ディスパッチ局の指示に従って、ディスパッチ局が監視することを指定するデータのみを監視する。従来技術と比較して、これは、伝送遅延を引き起こすことも、アップリンク方向とダウンリンク方向とで２回データを送信することを必要とすることもなく、したがってスペクトル利用率を効果的に改善する。
【０１２４】
理解しやすくするために、以下では、全体的に上記データ伝送の特定のプロセスについて説明する。
【０１２５】
図９を参照すると、データ伝送方法の別の実施形態は、以下を含む。
【０１２６】
Ａ１．ビデオ・キャプチャ端末は、ビデオ・データ伝送パラメータをディスパッチ局に報告する。
【０１２７】
データ伝送パラメータは、分解能、圧縮符号化モード、ビット・レート、及びビデオ・データのシリアル番号を含む。
【０１２８】
Ａ２．ディスパッチ局は、ビデオ・データを報告するためのパラメータを指定する。
【０１２９】
複数のビデオ・キャプチャ端末によって報告されたビデオ・データ伝送パラメータを受信した後に、ディスパッチ局は、ビデオ・キャプチャ端末が指定された分解能及び送信ビット・レートを使用することによってビデオ・データを報告することを指定する。例えば、ディスパッチ局が、ビデオ・キャプチャ端末から、報告されるべきビデオ・データの２０個のストリームのパラメータを受信した後に、ビデオ・データに１〜２０の番号が振られている場合に、ディスパッチ局は、報告されるべきビデオ・データの２０個のストリームのうちのビデオ・データの４〜６個のストリームを指定することができる。
【０１３０】
Ａ３．ビデオ・キャプチャ端末は、ベアラ・セットアップ要求をモビリティ管理エンティティに送信する。
【０１３１】
Ａ４．モビリティ管理エンティティは、ビデオ・キャプチャ端末からサービング・ゲートウェイへのベアラをセットアップする。
【０１３２】
Ａ５．モビリティ管理エンティティは、ビデオ・データのシリアル番号とベアラ・セットアップ・プロセス内のベアラの識別子との間のマッピング関係を格納する。
【０１３３】
Ａ６．ベアラがセットアップされた後、ビデオ・キャプチャ端末は、ビデオ・データをリアルタイムでディスパッチ局にアップロードする。
【０１３４】
Ａ７．ディスパッチ局は、受信されたビデオ・データに従ってループバック決定を下し、ループバックされるべきビデオ・データを確認する。
【０１３５】
Ａ８．ディスパッチ局は、ビデオ・ループバック要求をモビリティ管理エンティティに送信する。
【０１３６】
ビデオ・ループバック要求は、ループバックされるべきビデオ・データのシリアル番号を収容し、これにより、モビリティ管理エンティティは、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する。
【０１３７】
Ａ９．モビリティ管理エンティティは、ループバック指示情報を基地局に送信し、それと同時にベアラ修正要求を送信する。
【０１３８】
ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数であり、
モビリティ管理エンティティによって送信されるループバック指示情報は、ループバックされるべきビデオ・データを監視する必要があるそれぞれのトランキング端末グループに含まれるトランキング端末の識別子、及びそれぞれのトランキング端末グループ内のすべてのトランキング端末が監視する必要があるループバックされるべきビデオ・データのシリアル番号をさらに収容する。
【０１３９】
Ａ１０．基地局は、ベアラを修正し、その一方で、修正されたベアラの識別子と修正前のベアラの識別子との間のマッピング関係を記憶する。
【０１４０】
Ａ１１．基地局は、ベアラ修正応答メッセージをモビリティ管理エンティティに送信する。
【０１４１】
Ａ１２．基地局は、第１の監視指示情報をトランキング端末に送信する。
【０１４２】
第１の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１４３】
Ａ１３．ビデオ・キャプチャ端末は、ビデオ・データを基地局に送信する。
【０１４４】
Ａ１４．基地局は、すべての受信されたビデオ・キャプチャ・データをディスパッチ局にアップロードする。
【０１４５】
Ａ１５．基地局は、ループバック指示情報及びベアラの識別子に従って、ベアラの識別子に対応するループバックされるべきビデオ・データを確認し、ループバックされるべきビデオ・データをトランキング端末に送信する。
【０１４６】
図１０を参照すると、本発明におけるデータ伝送方法の別の実施形態は、以下を含む。
【０１４７】
本発明のこの実施形態では、ステップＢ１〜Ｂ７は、ステップＡ１〜Ａ７と同じである。ここでは、詳細について繰り返さない。
【０１４８】
Ｂ８．ディスパッチ局は、ビデオ・ループバック要求をビデオ・キャプチャ端末に送信する。
【０１４９】
ビデオ・ループバック要求は、ループバックされるべきビデオ・データのシリアル番号を収容し、これにより、ビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する。
【０１５０】
Ｂ９．ビデオ・キャプチャ端末は、ループバック指示情報を基地局に送信する。
【０１５１】
ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数である。
【０１５２】
Ｂ１０．基地局は、第１のビデオ・ループバック応答をビデオ・キャプチャ端末に送信する。
【０１５３】
第１のビデオ・ループバック応答は、ループバックされるべきビデオ・データのそれぞれのストリームに割り当てられた無線ネットワーク一時識別子を収容し、これにより、ビデオ・キャプチャ端末は、第２のビデオ・ループバック応答をディスパッチ局に送信し、第２のビデオ・ループバック応答は、ループバックされるべきビデオ・データのそれぞれのストリームのシリアル番号及びループバックされるべきビデオ・データのそれぞれのストリームの無線ネットワーク一時識別子を収容し、これにより、ディスパッチ局は、第２の監視指示情報をトランキング端末に送信し、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１５４】
Ｂ１１．ビデオ・キャプチャ端末は、第２のビデオ・ループバック応答をディスパッチ局に送信する。
【０１５５】
第２のビデオ・ループバック応答は、ループバックされるべきビデオ・データのそれぞれのストリームのシリアル番号及びループバックされるべきビデオ・データのそれぞれのストリームの無線ネットワーク一時識別子を収容し、これにより、ディスパッチ局は、第２の監視指示情報をトランキング端末に送信し、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１５６】
Ｂ１２．ディスパッチ局は、第２の監視指示情報をトランキング端末に送信する。
【０１５７】
第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１５８】
Ｂ１３．ビデオ・キャプチャ端末は、ビデオ・データを基地局に送信する。
【０１５９】
Ｂ１４．基地局は、すべての受信されたビデオ・キャプチャ・データをディスパッチ局にアップロードする。
【０１６０】
Ｂ１５．基地局は、ループバック指示情報及びベアラの識別子に従って、ベアラの識別子に対応するループバックされるべきビデオ・データを確認し、ループバックされるべきビデオ・データをトランキング端末に送信する。
【０１６１】
図１１を参照すると、データ伝送方法の別の実施形態は、以下を含む。
【０１６２】
図９及び図１０に対応するループバックの解決策とは異なり、本発明のこの実施形態では、ブロードキャストの解決策を使用してビデオ・データを送信する。
【０１６３】
本発明のこの実施形態では、ステップＣ１〜Ｃ２は、ステップＡ１〜Ａ２と同じである。ここでは、詳細について繰り返さない。
【０１６４】
Ｃ３．ビデオ・キャプチャ端末は、ベアラ・セットアップ要求をモビリティ管理エンティティに送信する。
【０１６５】
ベアラ・セットアップ要求がモビリティ管理エンティティに送信され、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップする。
【０１６６】
Ｃ４．モビリティ管理エンティティは、ビデオ・キャプチャ端末からサービング・ゲートウェイへのベアラをセットアップする。
【０１６７】
Ｃ５．ベアラがセットアップされた後、ビデオ・キャプチャ端末は、ビデオ・データをリアルタイムでディスパッチ局にアップロードする。
【０１６８】
Ｃ６．ディスパッチ局は、受信されたビデオ・データに従ってビデオ・データを監視することを決定する。
【０１６９】
Ｃ７．ディスパッチ局は、監視指示情報をトランキング端末に送信する。
【０１７０】
監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、これにより、トランキング端末は、トランキング端末自体の識別子に従って、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視し、
監視パラメータは、ビデオ・データのＮ個のストリームのシリアル番号とともに、ビデオ・キャプチャ端末によってトランキング端末に送信される監視パラメータであり、ビデオ・データのＮ個のストリームのシリアル番号及び監視パラメータは、基地局がビデオ・キャプチャ端末によってブロードキャストされたビデオ・データのＮ個のストリームを受信した後に基地局によってビデオ・キャプチャ端末に送信され、監視パラメータは、ビデオ・データのＮ個のストリームのうちのビデオ・データのそれぞれのストリームのシリアル番号に対応する。
【０１７１】
Ｃ８．ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信する。
【０１７２】
ビデオ・データのシリアル番号に対応する監視パラメータは、ビデオ・キャプチャ端末に対して基地局によって構成される。
【０１７３】
Ｃ９．ビデオ・キャプチャ端末は、ビデオ・データをブロードキャストする。
【０１７４】
ビデオ・データのＮ個のストリームがブロードキャストされ、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。
【０１７５】
ビデオ・キャプチャ端末によってブロードキャストされたビデオ・データは、トランキング端末と基地局との両方によって監視され得る。ビデオ・データを監視した後に、基地局は、ビデオ・データをディスパッチ局に報告する。
【０１７６】
Ｃ１０．トランキング端末は、ディスパッチ局によって指定されたビデオ・データを監視するときにチャネル品質をさらに監視するものとしてよく、監視されたチャネル品質を基地局にフィードバックし、チャネル品質が悪い場合に、基地局は、監視パラメータの再割り当てを行うことができる。
【０１７７】
Ｃ１１．基地局は、監視パラメータをビデオ・キャプチャ端末に再割り当てする。
【０１７８】
このプロセスは、実際には、ビデオ・キャプチャ端末のビデオ・ブロードキャストに対する変調及び符号化方式、リソース割り当て、送信電力などを調整するために、基地局によって、無線リソース制御（ＲＲＣ：Ｒａｄｉｏ  Ｒｅｓｏｕｒｃｅ  Ｃｏｎｔｒｏｌ）接続再構成をトリガーするプロセスである。
【０１７９】
Ｃ１２．ビデオ・キャプチャ端末は、再割り当て完了応答を基地局に送信する。
【０１８０】
Ｃ１３．ビデオ・キャプチャ端末は、再割り当てされた監視パラメータをトランキング端末に送信し、これにより、トランキング端末は、再割り当てされた監視パラメータを使用して監視されるように指定されたビデオ・データを監視する。
【０１８１】
Ｃ１４．ビデオ・キャプチャ端末は、ビデオ・データをブロードキャストする。
【０１８２】
図１２を参照すると、本発明の一実施形態によって実現される基地局は、
ビデオ・キャプチャ端末によってアップロードされたビデオ・データのＮ個のストリームを受信し、モビリティ管理エンティティ又はビデオ・キャプチャ端末によって送信されるループバック指示情報を受信するように構成された受信ユニット９０１であって、ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数である、受信ユニット９０１と、
受信ユニット９０１によって受信されたループバックされるべきビデオ・データのベアラの識別子に従って、ループバックされるべきビデオ・データのベアラの識別子に対応するループバックされるべきビデオ・データを確認するように構成された確認ユニット９０２と、
確認ユニット９０２によって確認されたループバックされるべきビデオ・データを送信するように構成された送信ユニット９０３とを備える。
【０１８３】
本発明のこの実施形態では、受信ユニット９０１は、ビデオ・キャプチャ端末によってアップロードされたビデオ・データのＮ個のストリームを受信し、モビリティ管理エンティティ又はビデオ・キャプチャ端末によって送信されるループバック指示情報を受信し、ループバック指示情報は、ループバックされるべきビデオ・データのベアラの識別子を収容し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応し、ループバックされるべきビデオ・データのベアラの識別子は、ディスパッチ局のビデオ・ループバック要求に収容されるループバックされるべきビデオ・データのシリアル番号に従ってモビリティ管理エンティティ又はビデオ・キャプチャ端末によって決定され、Ｎは１以上の整数であり、確認ユニット９０２は、受信ユニット９０１によって受信されたループバックされるべきビデオ・データのベアラの識別子に従って、ループバックされるべきビデオ・データのベアラの識別子に対応するループバックされるべきビデオ・データを確認し、送信ユニット９０３は、確認ユニット９０２によって確認された、ループバックされるべきビデオ・データをトランキング端末に送信する。従来技術と比較すると、本発明のこの実施形態によって実現される基地局では、伝送遅延を減らし、ビデオ監視によって取得されるビデオ・データをリアルタイムでトランキング端末に送信することができる。
【０１８４】
図１３を参照すると、図１２に対応する実施形態に基づく、基地局の別の実施形態は、
確認ユニットによって確認されたループバックされるべきビデオ・データのそれぞれのストリームに無線ネットワーク一時識別子を割り当てるように構成された割り当てユニット９０４を備え、
送信ユニット９０３は、第１の監視指示情報をトランキング端末に送信するか、又は第１のビデオ・ループバック応答をビデオ・キャプチャ端末に送信するようにさらに構成され、第１の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視し、第１のビデオ・ループバック応答は、ループバックされるべきビデオ・データのそれぞれのストリームに割り当てられた無線ネットワーク一時識別子を収容し、これにより、ビデオ・キャプチャ端末は、第２のビデオ・ループバック応答をディスパッチ局に送信し、第２のビデオ・ループバック応答は、ループバックされるべきビデオ・データのそれぞれのストリームのシリアル番号及びループバックされるべきビデオ・データのそれぞれのストリームの無線ネットワーク一時識別子を収容し、これにより、ディスパッチ局は、第２の監視指示情報をトランキング端末に送信し、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１８５】
図１４を参照すると、図１２又は図１３に対応する実施形態に基づく、基地局の別の実施形態は、以下のことを含む。
受信ユニット９０１は、モビリティ管理エンティティによって送信されたベアラ修正要求を受信するように構成され、
ベアラ修正ユニット９０５は、受信ユニット９０１がベアラ修正要求を受信した後にビデオ・データ伝送ベアラを修正するように構成され、
第１の確認ユニット９０２は、ベアラ修正ユニット９０５によって修正された伝送ベアラの識別子と修正前の伝送ベアラの識別子との間のマッピング関係を確認するように構成される。
【０１８６】
図１５を参照すると、モビリティ管理エンティティの一実施形態は、
ビデオ・キャプチャ端末によって送信されたベアラ・セットアップ要求を受信するように構成され、ベアラ・セットアップ要求がビデオ・データのＮ個のストリームのシリアル番号を収容する、受信ユニット１００１と、
受信ユニット１００１がベアラ・セットアップ要求を受信した後にＮ個の発展型パケット・ベアラをセットアップするように構成され、それぞれのベアラがビデオ・データのＮ個のストリームのうちの１つを送信するために使用される、ベアラ・セットアップ・ユニット１００２と、
ベアラ・セットアップ・ユニット１００２がベアラをセットアップした後に、ビデオ・データの１つのストリームを送信するために使用されるそれぞれのベアラの識別子と、ベアラ上で送信されるビデオ・データの１つのストリームのシリアル番号とをそれに応じて格納するように構成され、Ｎが１以上の整数である、格納ユニット１００３であって、
受信ユニット１００１はディスパッチ局によって送信されるビデオ・ループバック要求を受信するようにさらに構成され、ビデオ・ループバック要求は、ループバックされるべきビデオ・データのシリアル番号を収容する、格納ユニット１００３と、
受信ユニット１００１によって受信されるループバックされるべきビデオ・データのシリアル番号に従って、ビデオ・データのシリアル番号とベアラの識別子との間の格納されているマッピング関係を、ループバックされるべきビデオ・データのシリアル番号に対応するベアラの識別子について探索するように構成された探索ユニット１００４と、
ループバック指示情報を基地局に送信するように構成された送信ユニット１００５であって、ループバック指示情報は、ループバックされるべきビデオ・データのベアラの見つかった識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する、送信ユニット１００５とを備える。
【０１８７】
本発明のこの実施形態では、受信ユニット１００１は、ビデオ・キャプチャ端末によって送信されたベアラ・セットアップ要求を受信し、ベアラ・セットアップ要求は、ビデオ・データのＮ個のストリームのシリアル番号を収容し、ベアラ・セットアップ・ユニット１００２は、受信ユニット１００１がベアラ・セットアップ要求を受信した後にＮ個の発展型パケット・ベアラをセットアップし、それぞれのベアラは、ビデオ・データのＮ個のストリームのうちの１つを送信するために使用され、格納ユニット１００３は、ベアラ・セットアップ・ユニット１００２がベアラをセットアップした後に、ビデオ・データの１つのストリームを送信するために使用されるそれぞれのベアラの識別子とベアラ上で送信されるビデオ・データの１つのストリームのシリアル番号とをそれに応じて格納し、Ｎは、１以上の整数であり、受信ユニット１００１は、ディスパッチ局によって送信されるビデオ・ループバック要求を受信するようにさらに構成され、ビデオ・ループバック要求は、ループバックされるべきビデオ・データのシリアル番号を収容し、探索ユニット１００４は、受信ユニット１００１によって受信されるループバックされるべきビデオ・データのシリアル番号に従って、ビデオ・データのシリアル番号とベアラの識別子との間の格納されているマッピング関係を、ループバックされるべきビデオ・データのシリアル番号に対応するベアラの識別子について探索し、送信ユニット１００５は、ループバック指示情報を基地局に送信するように構成され、ループバック指示情報は、ループバックされるべきビデオ・データのベアラの見つかった識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。従来技術と比較すると、本発明のこの実施形態によって実現されるモビリティ管理エンティティは、伝送遅延を減らし、ビデオ監視によって取得されるビデオ・データをリアルタイムでトランキング端末に送信することができる。
【０１８８】
図１５に対応する実施形態に基づく、モビリティ管理エンティティの実施形態において、
送信ユニット１００５は、ベアラ修正要求を基地局に送信するようにさらに構成され、これにより、基地局は、ビデオ・データ伝送ベアラを修正し、修正された伝送ベアラの識別子と修正前の伝送ベアラの識別子との間のマッピング関係を確認する。
【０１８９】
図１６を参照すると、ディスパッチ局の一実施形態は、
ビデオ・キャプチャ端末によって報告されたＭ個のビデオ・データのシリアル番号を受信した後に、Ｍ個のビデオ・データのシリアル番号で指定されたＮ個のビデオ・データのシリアル番号に対応するビデオ・データを報告することをビデオ・キャプチャ端末に命令するステップであって、ＭはＮ以上であり、Ｎは１以上の整数である、ステップと、ビデオ・キャプチャ端末によってアップロードされたビデオ・データのＮ個のストリームを受信するステップとを行うように構成された受信ユニット２００１と、
受信ユニット２００１がビデオ・キャプチャ端末によってアップロードされたビデオ・データのＮ個のストリームを受信した後に、ループバックされるべきビデオ・データを確認するように構成された確認ユニット２００２と、
確認ユニット２００２がループバックされるべきビデオ・データを確認した後にビデオ・ループバック要求をモビリティ管理エンティティ又はビデオ・キャプチャ端末に送信するように構成された送信ユニット２００３であって、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応する、送信ユニット２００３とを備える。
【０１９０】
本発明のこの実施形態では、ビデオ・キャプチャ端末によって報告されたＭ個のビデオ・データのシリアル番号を受信した後に、受信ユニット２００１は、Ｍ個のビデオ・データのシリアル番号で指定されたＮ個のビデオ・データのシリアル番号に対応するビデオ・データを報告することをビデオ・キャプチャ端末に命令し、ＭはＮ以上であり、Ｎは１以上の整数であり、受信ユニット２００１は、ビデオ・キャプチャ端末によってアップロードされたビデオ・データのＮ個のストリームを受信し、受信ユニット２００１がビデオ・キャプチャ端末によってアップロードされたビデオ・データのＮ個のストリームを受信した後に、確認ユニット２００２は、ループバックされるべきビデオ・データを確認し、送信ユニット２００３は、確認ユニット２００２がループバックされるべきビデオ・データを確認した後にビデオ・ループバック要求をモビリティ管理エンティティ又はビデオ・キャプチャ端末に送信し、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、ベアラの識別子は、ビデオ・キャプチャ端末のベアラ・セットアップ要求に従ってモビリティ管理エンティティによってセットアップされ、ビデオ・データのＮ個のストリームを送信するために使用されるＮ個のベアラのうちのそれぞれのベアラの識別子であり、ベアラ・セットアップ要求は、ビデオ・データのＮ個のストリームのシリアル番号を収容し、ビデオ・データのそれぞれのストリームのシリアル番号は、ビデオ・データのそれぞれのストリームを送信するために使用されるベアラの識別子に対応している。従来技術と比較すると、本発明のこの実施形態によって実現されるディスパッチ局では、伝送遅延を減らし、ビデオ監視によって取得されるビデオ・データをリアルタイムでトランキング端末に送信することができる。
【０１９１】
図１６に対応する実施形態に基づく、ディスパッチ局の別の実施形態は、以下のことを含む。
受信ユニット２００１は、ビデオ・キャプチャ端末によって送信されるビデオ・ループバック応答を受信するように構成され、ビデオ・ループバック応答は、ループバックされるべきビデオ・データのシリアル番号及びシリアル番号に対応する無線ネットワーク一時識別子を収容し、
送信ユニット２００３は、受信ユニットがビデオ・ループバック応答を受信した後に第２の監視指示情報をトランキング端末に送信するように構成され、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１９２】
図１７を参照すると、ビデオ・キャプチャ端末の一実施形態は、
報告されるべきビデオ・データのＮ個のストリームのシリアル番号に関してディスパッチ局とネゴシエートした後に、ビデオ・データのＮ個のストリームのシリアル番号に対応するビデオ・データのＮ個のストリームを基地局に送信し、ベアラ・セットアップ要求をモビリティ管理エンティティに送信するように構成された送信ユニット３００１であって、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームのシリアル番号とを格納する、送信ユニット３００１と、
ディスパッチ局によって送信されたビデオ・ループバック要求を受信するように構成された受信ユニット３００２であって、ビデオ・ループバック要求は、ループバックされるべきビデオ・データのシリアル番号を収容する、受信ユニット３００２と、
受信ユニット３００２によって受信されたビデオ・ループバック要求に収容されるループバックされるべきビデオ・データのシリアル番号に従って、ループバックされるべきビデオ・データのベアラの識別子を決定するように構成された決定ユニット３００３とを備え、
送信ユニット３００１は、ループバック指示情報を基地局に送信するようにさらに構成され、ループバック指示情報は、ループバックされるべきビデオ・データのベアラの識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。
【０１９３】
本発明のこの実施形態では、報告されるべきビデオ・データのＮ個のストリームのシリアル番号に関してディスパッチ局とネゴシエートした後に、送信ユニット３００１は、ビデオ・データのＮ個のストリームのシリアル番号に対応するビデオ・データのＮ個のストリームを基地局に送信し、ベアラ・セットアップ要求をモビリティ管理エンティティに送信し、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、ビデオ・データの１つのストリームを送信するために使用されるそれぞれのベアラの識別子とベアラ上で送信されるビデオ・データの１つのストリームのシリアル番号とをそれに応じて格納し、受信ユニット３００２は、ディスパッチ局によって送信されたビデオ・ループバック要求を受信し、ビデオ・ループバック要求は、ループバックされるべきビデオ・データのシリアル番号を収容し、決定ユニット３００３は、受信ユニット３００２によって受信されたビデオ・ループバック要求に収容されるループバックされるべきビデオ・データのシリアル番号に従って、ループバックされるべきビデオ・データのベアラの識別子を決定し、送信ユニット３００１は、ループバック指示情報を基地局に送信し、ループバック指示情報は、ループバックされるべきビデオ・データのベアラの識別子を収容し、これにより、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信する。従来技術と比較すると、本発明のこの実施形態によって実現されるビデオ・キャプチャ端末では、伝送遅延を減らし、ビデオ監視によって取得されるビデオ・データをリアルタイムでトランキング端末に送信することができる。
【０１９４】
図１７に対応する実施形態に基づく、ビデオ・キャプチャ端末の別の実施形態は、以下のことを含む。
受信ユニット３００２は、基地局によって送信された第１のビデオ・ループバック応答を受信するようにさらに構成され、第１のビデオ・ループバック応答は、ループバックされるべきビデオ・データのそれぞれのストリームに割り当てられた無線ネットワーク一時識別子を収容し、
送信ユニット３００１は、受信ユニット３００２が第１のビデオ・ループバック応答を受信した後に第２のビデオ・ループバック応答をディスパッチ局に送信するよう構成され、第２のビデオ・ループバック応答は、ループバックされるべきビデオ・データのそれぞれのストリームのシリアル番号及びループバックされるべきビデオ・データのそれぞれのストリームの無線ネットワーク一時識別子を収容し、これにより、ディスパッチ局は、第２の監視指示情報をトランキング端末に送信し、第２の監視指示情報は、無線ネットワーク一時識別子、それぞれのトランキング端末グループ内に含まれるトランキング端末の識別子、及びそれぞれのトランキング端末グループ内のすべてのトランキング端末が監視する必要があるループバックされるべきビデオ・データのシリアル番号を収容し、これにより、トランキング端末は、トランキング端末自体の識別子に従って、トランキング端末自体を含むトランキング端末グループ内のすべてのトランキング端末が監視する必要があるループバックされるべきビデオ・データのシリアル番号を確認し、ループバックされ監視されるべきビデオ・データのシリアル番号に従って、ループバックされ監視されるべきビデオ・データを確認し、無線ネットワーク一時識別子を使用してループバックされるべきビデオ・データを監視する。
【０１９５】
図１８を参照すると、ビデオ・キャプチャ端末の一実施形態は、
ベアラ・セットアップ要求をモビリティ管理エンティティに送信するように構成された送信ユニット３０１１であって、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップする、送信ユニット３０１１と、
基地局によって送信され、ビデオ・データのＮ個のストリーム内のビデオ・データのそれぞれのストリームに対応する監視パラメータを受信するように構成された受信ユニット３０１２であって、
送信ユニット３０１１は、ビデオ・データのＮ個のストリームのシリアル番号及び受信ユニット３０１２によって受信され、ビデオ・データのＮ個のストリーム内のビデオ・データのそれぞれのストリームのシリアル番号に対応する監視パラメータをトランキング端末に送信するようにさらに構成されている、受信ユニット３０１２と、
ビデオ・データのＮ個のストリームをブロードキャストするように構成されたブロードキャスト・ユニット３０１３であって、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、ブロードキャスト・ユニット３０１３とを備える。
【０１９６】
本発明のこの実施形態では、送信ユニット３０１１は、ベアラ・セットアップ要求をモビリティ管理エンティティに送信し、ベアラ・セットアップ要求は、ビデオ・データのＮ個のストリームのシリアル番号を収容し、これにより、モビリティ管理エンティティは、それぞれがビデオ・データのＮ個のストリームのうちの１つを送信するために使用される、Ｎ個の発展型パケット・ベアラをセットアップし、受信ユニット３０１２は、基地局によって送信され、ビデオ・データのＮ個のストリーム内のビデオ・データのそれぞれのストリームに対応する監視パラメータを受信し、送信ユニット３０１１は、ビデオ・データのＮ個のストリームのシリアル番号及び受信ユニット３０１２によって受信され、ビデオ・データのＮ個のストリーム内のビデオ・データのそれぞれのストリームのシリアル番号に対応する監視パラメータをトランキング端末に送信し、ブロードキャスト・ユニット３０１３は、ビデオ・データのＮ個のストリームをブロードキャストし、これにより、ディスパッチ局は、ビデオ・データのＮ個のストリームに従って監視指示情報をトランキング端末に送信し、監視指示情報は、ビデオ・データのＮ個のストリーム内の監視されるように指定されたビデオ・データのシリアル番号を収容し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。本発明のこの実施形態によって実現されるビデオ・キャプチャ端末は、ディスパッチ局が監視することを指定したデータのみを監視する。従来技術と比較して、これは、伝送遅延を引き起こすことも、アップリンク方向とダウンリンク方向とで２回データを送信することを必要とすることもなく、したがってスペクトル利用率を効果的に改善する。ビデオ・キャプチャ端末は、ビデオ・データをブロードキャストし、トランキング端末は、ディスパッチ局の指示に従って、ディスパッチ局が監視することを指定するデータのみを監視する。これは、伝送遅延を引き起こすことも、アップリンク方向とダウンリンク方向とで２回データを送信することを必要とすることもなく、したがってスペクトル利用率を効果的に改善する。
【０１９７】
図１８に対応する実施形態に基づく、ビデオ・キャプチャ端末の別の実施形態は、以下のことを含む。
受信ユニット３０１２は、基地局によって送信され、ビデオ・データのＮ個のストリームに対応する調整された監視パラメータを受信するようにさらに構成され、
送信ユニット３０１１は、トランキング端末に、ビデオ・データのＮ個のストリームのシリアル番号及び受信ユニット３０１２によって受信され、ビデオ・データのＮ個のストリームのシリアル番号に対応する調整された監視パラメータを送信するようにさらに構成され、これにより、トランキング端末は、監視されるように指定されたビデオ・データのシリアル番号に従って、監視されるように指定されたビデオ・データのシリアル番号に対応する調整された監視パラメータを探索し、見つかった調整された監視パラメータを使用して監視されるように指定されたビデオ・データを監視する。
【０１９８】
図１９を参照すると、本発明におけるトランキング端末の一実施形態は、
ディスパッチ局によって送信された監視指示情報を受信し、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、ビデオ・キャプチャ端末によって送信される、ビデオ・データのＮ個のストリームのシリアル番号及びビデオ・データのＮ個のストリーム内のビデオ・データのそれぞれのストリームのシリアル番号に対応する監視パラメータを受信するように構成された受信ユニット４０１１と、
トランキング端末自体の識別子に従って、それぞれのトランキング端末グループに含まれるトランキング端末のものであり、受信ユニット４０１１によって受信された監視指示情報に収容される識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認するように構成された確認ユニット４０１２と、
監視されるように指定されたビデオ・データのものであり、確認ユニット４０１２によって確認されたシリアル番号に従って、監視されるように指定されたビデオ・データのシリアル番号に対応する監視パラメータを探索するように構成された探索ユニット４０１３と、
監視されるように指定されたビデオ・データのものであり、探索ユニット４０１３によって見つけられた監視パラメータを使用して、監視されるように指定されたビデオ・データを監視するように構成された監視ユニット４０１４とを備える。
【０１９９】
本発明のこの実施形態では、受信ユニット４０１１は、ディスパッチ局によって送信された監視指示情報を受信し、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、ビデオ・データのＮ個のストリームのシリアル番号及びビデオ・データのＮ個のストリーム内のビデオ・データのそれぞれのストリームのシリアル番号に対応する監視パラメータを受信し、確認ユニット４０１２は、トランキング端末自体の識別子に従って、それぞれのトランキング端末グループに含まれるトランキング端末のものであり、受信ユニット４０１１によって受信された監視指示情報に収容される識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認し、探索ユニット４０１３は、監視されるように指定されたビデオ・データのものであり、確認ユニット４０１２によって確認されたシリアル番号に従って、監視されるように指定されたビデオ・データのシリアル番号に対応する監視パラメータを探索し、監視ユニット４０１４は、監視されるように指定されたビデオ・データのものであり、探索ユニット４０１３によって見つけられた監視パラメータを使用し、監視されるように指定されたビデオ・データを監視する。本発明のこの実施形態によって実現されるトランキング端末は、ディスパッチ局が監視することを指定したデータのみを監視する。従来技術と比較して、これは、伝送遅延を引き起こすことも、アップリンク方向とダウンリンク方向とで２回データを送信することを必要とすることもなく、したがってスペクトル利用率を効果的に改善する。
【０２００】
図２０を参照すると、図１９に対応する実施形態に基づく、トランキング端末の別の実施形態は、
ビデオ・キャプチャ端末のチャネル品質を監視するように構成された監視ユニット４０１５と、
チャネル品質を基地局に送信するように構成された送信ユニット４０１６であって、これにより、基地局は、チャネル品質に従って、ビデオ・データのＮ個のストリームのシリアル番号に対応する監視パラメータを再構成する、送信ユニット４０１６とをさらに備える。
【０２０１】
図２１を参照すると、基地局の別の実施形態は、
ビデオ・キャプチャ端末によってブロードキャストされたビデオ・データのＮ個のストリームを受信するように構成された受信ユニット９１１と、
受信ユニット９１１によって受信されたビデオ・データのＮ個のストリーム内のビデオ・データのそれぞれのストリームに対する監視パラメータを構成するように適合された構成ユニット９１２と、
ビデオ・データのＮ個のストリーム内のビデオ・データのそれぞれのストリームについて構成ユニット９１２によって構成された監視パラメータをビデオ・キャプチャ端末に送信するように構成された送信ユニット９１３であって、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、送信ユニット９１３とを備える。
【０２０２】
本発明のこの実施形態では、受信ユニット９１１は、ビデオ・キャプチャ端末によってブロードキャストされたビデオ・データのＮ個のストリームを受信し、構成ユニット９１２は、受信ユニット９１１によって受信されたビデオ・データのＮ個のストリーム内のビデオ・データのそれぞれのストリームに対する監視パラメータを構成し、送信ユニット９１３は、ビデオ・データのＮ個のストリーム内のビデオ・データのそれぞれのストリームについて構成ユニット９１２によって構成された監視パラメータをビデオ・キャプチャ端末に送信し、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する監視パラメータをトランキング端末に送信し、これにより、トランキング端末は、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。従来技術と比較すると、本発明のこの実施形態によって実現される基地局は、伝送遅延を低減することができる。
【０２０３】
図２１に対応する実施形態に基づく、基地局の別の実施形態は、以下のことを含む。
受信ユニット９１１は、トランキング端末によって送信されたビデオ・キャプチャ端末のチャネル品質を受信するように構成され、
構成ユニット９１２は、受信ユニットによって受信されたビデオ・キャプチャ端末のチャネル品質に従って、ビデオ・データのＮ個のストリームのシリアル番号に対応する監視パラメータを調整し、ビデオ・データのＮ個のストリームのシリアル番号に対応する調整された監視パラメータをビデオ・キャプチャ端末に送信し、これにより、ビデオ・キャプチャ端末は、ビデオ・データのＮ個のストリームのシリアル番号及びビデオ・データのＮ個のストリーム内のビデオ・データのそれぞれのストリームのシリアル番号に対応する調整された監視パラメータをトランキング端末に送信し、これにより、トランキング端末は、監視されるように指定されたビデオ・データのシリアル番号に従って、監視されるように指定されたビデオ・データのシリアル番号に対応する調整された監視パラメータを探索し、監視されるように指定されたビデオ・データの見つかった調整された監視パラメータを使用して、監視されるように指定されたビデオ・データを監視する、送信することとを行うようにさらに構成される。
【０２０４】
図２２を参照すると、ディスパッチ局の別の実施形態は、
ビデオ・データのＮ個のストリームを受信するように構成された受信ユニット２０１１と、
受信ユニット２０１１がビデオ・データのＮ個のストリームを受信した後に監視指示情報をトランキング端末に送信するように構成された送信ユニット２０１２であって、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、これにより、トランキング端末は、トランキング端末自体の識別子に従って、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する、送信ユニット２０１２とを備え、
監視パラメータは、ビデオ・データのＮ個のストリームのシリアル番号とともに、ビデオ・キャプチャ端末によってトランキング端末に送信される監視パラメータであり、ビデオ・データのＮ個のストリームのシリアル番号及び監視パラメータは、基地局がビデオ・キャプチャ端末によってブロードキャストされたビデオ・データのＮ個のストリームを受信した後に基地局によってビデオ・キャプチャ端末に送信され、監視パラメータは、ビデオ・データのＮ個のストリームのうちのビデオ・データのそれぞれのストリームのシリアル番号に対応する。
【０２０５】
図９及び図１０を参照すると、ビデオ監視システムの一実施形態は、トランキング端末、ビデオ・キャプチャ端末、基地局、モビリティ管理エンティティ、サービング・ゲートウェイ、パケット・データ・ネットワーク・ゲートウェイ、及びディスパッチ局を含み、
ビデオ・キャプチャ端末は、報告されるべきビデオ・データのＮ個のストリームのシリアル番号に関してディスパッチ局とネゴシエートした後にベアラ・セットアップ要求をモビリティ管理エンティティに送信し、ベアラ・セットアップ要求は、ビデオ・データのＮ個のストリームのシリアル番号を収容し、
モビリティ管理エンティティは、それぞれがビデオ・データのＮ個のストリームのうちの１つを送信するために使用される、Ｎ個の発展型パケット・ベアラをセットアップし、それに応じて、ビデオ・データの１つのストリームを送信するために使用されるそれぞれのベアラの識別子とベアラ上で送信されるビデオ・データの１つのストリームのシリアル番号とを格納し、Ｎは、１以上の整数であり、
モビリティ管理エンティティ又はビデオ・キャプチャ端末は、ディスパッチ局によって送信されたビデオ・ループバック要求を受信し、ビデオ・ループバック要求は、ループバックされるべきビデオ・データのシリアル番号を収容し、これにより、モビリティ管理エンティティ又はビデオ・キャプチャ端末は、ループバックされるべきビデオ・データのシリアル番号に従って、ループバックされるべきビデオ・データのシリアル番号に対応するループバックされるべきビデオ・データのベアラの識別子を確認し、
基地局は、モビリティ管理エンティティ又はビデオ・キャプチャ端末によって送信されるループバック指示情報を受信し、ループバック指示情報は、ループバックされるべきビデオ・データのベアラの識別子を収容し、基地局は、ループバックされるべきビデオ・データのベアラの識別子に従って、ループバックされるべきビデオ・データのベアラの識別子に対応するループバックされるべきビデオ・データを確認し、ループバックされるべきビデオ・データをトランキング端末に送信し、
トランキング端末は、ループバックされるべきビデオ・データを監視する。
【０２０６】
図１１を参照すると、ビデオ監視システムの別の実施形態は、トランキング端末、ビデオ・キャプチャ端末、基地局、モビリティ管理エンティティ、サービング・ゲートウェイ、パケット・データ・ネットワーク・ゲートウェイ、及びディスパッチ局を含み、
ビデオ・キャプチャ端末は、報告されるべきビデオ・データのＮ個のストリームのシリアル番号に関してディスパッチ局とネゴシエートした後にベアラ・セットアップ要求をモビリティ管理エンティティに送信し、ベアラ・セットアップ要求は、ビデオ・データのＮ個のストリームのシリアル番号を収容し、
モビリティ管理エンティティは、それぞれがビデオ・データのＮ個のストリームのうちの１つを送信するために使用される、Ｎ個の発展型パケット・ベアラをセットアップし、Ｎは、１以上の整数であり、
基地局は、ビデオ・キャプチャ端末によってブロードキャストされたビデオ・データのＮ個のストリームを受信した後にビデオ・データのＮ個のストリーム内のビデオ・データのそれぞれのストリームに対する監視パラメータを構成し、ビデオ・データのＮ個のストリーム内のビデオ・データのそれぞれのストリームに対応する監視パラメータをビデオ・キャプチャ端末に送信し、
ビデオ・キャプチャ端末は、基地局によって送信され、ビデオ・データのＮ個のストリーム内のビデオ・データのそれぞれのストリームに対応する監視パラメータを受信し、ビデオ・データのＮ個のストリームのシリアル番号及びビデオ・データのＮ個のストリーム内のビデオ・データのそれぞれのストリームのシリアル番号に対応する監視パラメータをトランキング端末に送信し、ビデオ・データのＮ個のストリームをブロードキャストし、
ディスパッチ局は、ビデオ・データのＮ個のストリーム内のビデオ・データのそれぞれのストリームに対応する監視パラメータをビデオ・キャプチャ端末に送信し、
トランキング端末は、ディスパッチ局によって送信された監視指示情報を受信し、監視指示情報は、監視されるように指定されたビデオ・データを監視することを必要とするそれぞれのトランキング端末グループに含まれるトランキング端末の識別子、及びそれぞれのトランキング端末グループ内のすべてのトランキング端末が監視することを指定するビデオ・データのシリアル番号を収容し、トランキング端末は、ビデオ・キャプチャ端末によって送信されたビデオ・データのＮ個のストリームのシリアル番号及びビデオ・データのＮ個のストリーム内のビデオ・データのそれぞれのストリームのシリアル番号に対応する監視パラメータを受信し、トランキング端末自体の識別子に従って、それぞれのトランキング端末グループに含まれるトランキング端末の識別子及びそれぞれのトランキング端末グループ内のすべてのトランキング端末が監視することを指定するビデオ・データのシリアル番号のうちで、トランキング端末自体を含むトランキング端末グループ内のすべてのトランキング端末が監視する必要がある監視されるように指定されたビデオ・データのシリアル番号を確認し、監視されるように指定されたビデオ・データのシリアル番号に従って、監視されるように指定されたビデオ・データのシリアル番号に対応する監視パラメータを探索し、監視されるように指定されたビデオ・データの見つかった監視パラメータを使用して、監視されるように指定されたビデオ・データを監視する。
【０２０７】
本発明の複数の実施形態によって提供される技術的解決策を使用することによって、伝送遅延が低減されるか、又は無視されるようにできる。
【０２０８】
当業者であれば、これらの実施形態における方法のステップの全部又は一部が関連するハードウェアに命令するプログラムによって実現され得ることを理解できる。プログラムは、コンピュータ可読記憶媒体に格納することができる。この記憶媒体として、ＲＯＭ、ＲＡＭ、磁気ディスク、又は光ディスクが挙げられる。
【０２０９】
本発明の実施形態によって提供されるデータ伝送の方法、デバイス、及びシステムについて、詳細に説明した。本発明の原理、及び実現の態様は、例示的な実施形態を参照しつつ説明されているが、これらの実施形態は、単に、本発明の方法及び中核となる思想を理解しやすくするために説明されているに過ぎない。それに加えて、本発明の実現の態様、及び適用の範囲に関して、修正及び変形が、本発明の思想に従って当業者によって行われ得る。したがって、本明細書は、本発明に対する制限として解釈されないものとする。
【図１】
0006027674.tif 000002
【図２】
0006027674.tif 000003
【図３】
0006027674.tif 000004
【図４】
0006027674.tif 000005
【図５】
0006027674.tif 000006
【図６】
0006027674.tif 000007
【図７】
0006027674.tif 000008
【図８】
0006027674.tif 000009
【図９】
0006027674.tif 000010
【図１０】
0006027674.tif 000011
【図１１】
0006027674.tif 000012
【図１２】
0006027674.tif 000013
【図１３】
0006027674.tif 000014
【図１４】
0006027674.tif 000015
【図１５】
0006027674.tif 000016
【図１６】
0006027674.tif 000017
【図１７】
0006027674.tif 000018
【図１８】
0006027674.tif 000019
【図１９】
0006027674.tif 000020
【図２０】
0006027674.tif 000021
【図２１】
0006027674.tif 000022
【図２２】
0006027674.tif 000023